(57)【要約】      （修正有）【課題】Ｄ２Ｄ近傍サービスをサポートする移動通信システムにおいて用いられるユーザ端末を提供する。【解決手段】加入者情報を記憶する着脱可能な記憶媒体が取り付けられるユーザ端末は、アイドルモードにおけるＰＬＭＮ選択を行うＮＡＳエンティティと、前記アイドルモードにおけるセル選択及び／又はセル再選択を行うＡＳエンティティと、を含む。前記着脱可能な記憶媒体は、Ｄ２Ｄ近傍サービスに利用可能な周波数として、事前設定された周波数を記憶している。前記ＡＳエンティティは、前記事前設定された周波数において発見された特定のＰＬＭＮを前記ＮＡＳエンティティに通知する。前記ＮＡＳエンティティは、前記特定のＰＬＭＮが登録済みＰＬＭＮとは異なる場合に、現ＰＬＭＮに対する登録を解除するデタッチ処理を行い、前記Ｄ２Ｄ近傍サービスを利用するために前記特定のＰＬＭＮを選択する。【選択図】図１０
2018093509.tif 000002
【特許請求の範囲】
【請求項１】
加入者情報を記憶するＵＩＣＣが取り付けられるユーザ端末であって、
アイドルモードにおけるセル再選択を制御する制御部を備え、
前記ＵＩＣＣは、Ｄ２Ｄ通信に利用可能な周波数として、公安用の周波数を記憶しており、
前記制御部は、前記アイドルモードにおいて前記Ｄ２Ｄ通信に自ユーザ端末が興味を持つ場合に、前記セル再選択において、前記公安用の周波数を最高優先度の周波数として設定し、
前記制御部は、前記Ｄ２Ｄ通信に自ユーザ端末が興味を持つ場合には、前記セル再選択において前記公安用の周波数に属する適切なセルが発見されなくても、前記Ｄ２Ｄ通信を行うために前記公安用の周波数を使用する
ユーザ端末。
【請求項２】
加入者情報を記憶するＵＩＣＣが取り付けられるユーザ端末のための装置であって、
アイドルモードにおけるセル再選択を制御するプロセッサを備え、
前記ＵＩＣＣは、Ｄ２Ｄ通信に利用可能な周波数として、公安用の周波数を記憶しており、
前記プロセッサは、前記アイドルモードにおいて前記Ｄ２Ｄ通信に自ユーザ端末が興味を持つ場合に、前記セル再選択において、前記公安用の周波数を最高優先度の周波数として設定し、
前記プロセッサは、前記Ｄ２Ｄ通信に自ユーザ端末が興味を持つ場合には、前記セル再選択において前記公安用の周波数に属する適切なセルが発見されなくても、前記Ｄ２Ｄ通信を行うために前記公安用の周波数を使用する
装置。
【発明の詳細な説明】
【技術分野】
【０００１】
本発明は、Ｄ２Ｄ近傍サービスをサポートする移動通信システムにおいて用いられるユーザ端末及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、リリース１２以降の新機能として、端末間（Ｄｅｖｉｃｅ  ｔｏ  Ｄｅｖｉｃｅ：Ｄ２Ｄ）近傍サービスの導入が検討されている（非特許文献１参照）。
【０００３】
Ｄ２Ｄ近傍サービス（Ｄ２Ｄ  ＰｒｏＳｅ）は、同期がとられた複数のユーザ端末からなる同期クラスタ内で直接的な端末間通信を可能とするサービスである。Ｄ２Ｄ近傍サービスは、近傍端末を発見するＤ２Ｄ発見手続（ＰｒｏＳｅ  Ｄｉｓｃｏｖｅｒｙ）と、直接的な端末間通信であるＤ２Ｄ通信（ＰｒｏＳｅ  Ｃｏｍｍｕｎｉｃａｔｉｏｎ）と、を含む。
【先行技術文献】
【非特許文献】
【０００４】
【非特許文献１】３ＧＰＰ技術報告書  「ＴＲ  ３６．８４３  Ｖ１２．０．１」  ２０１４年３月２７日
【発明の概要】
【０００５】
一実施形態に係るユーザ端末は、加入者情報を記憶するＵＩＣＣ（Ｕｎｉｖｅｒｓａｌ  Ｉｎｔｅｇｒａｔｅｄ  Ｃｉｒｃｕｉｔ  Ｃａｒｄ）が取り付けられるユーザ端末であって、アイドルモードにおけるセル再選択を制御する制御部を備え、前記ＵＩＣＣは、Ｄ２Ｄ通信に利用可能な周波数として、公安用の周波数を記憶しており、前記制御部は、前記アイドルモードにおいて前記Ｄ２Ｄ通信に自ユーザ端末が興味を持つ場合に、前記セル再選択において、前記公安用の周波数を最高優先度の周波数として設定し、前記制御部は、前記Ｄ２Ｄ通信に自ユーザ端末が興味を持つ場合には、前記セル再選択において前記公安用の周波数に属する適切なセルが発見されなくても、前記Ｄ２Ｄ通信を行うために前記公安用の周波数を使用する。一実施形態に係るユーザ端末は、制御部を備える。前記制御部は、Ｄ２Ｄディスカバリーに用いるリソースプールを示す情報と、前記リソースプールが公安の用途で利用可能であるか否かを示す識別子と、を含むシステム情報ブロックを基地局から受信する処理と、前記公安の用途で前記Ｄ２Ｄディスカバリーを行う場合、前記識別子に基づいて、前記公安の用途で利用可能なリソースプールを前記Ｄ２Ｄディスカバリーに用いる処理と、を実行する。
【０００６】
一実施形態に係る基地局は、制御部を備える。前記制御部は、Ｄ２Ｄディスカバリーに用いるリソースプールを示す情報と、前記リソースプールが公安の用途で利用可能であるか否かを示す識別子と、を含むシステム情報ブロックをユーザ端末に送信する処理を実行する。
【０００７】
一実施形態に係るプロセッサは、ユーザ端末のためのプロセッサである。前記プロセッサは、Ｄ２Ｄディスカバリーに用いるリソースプールを示す情報と、前記リソースプールが公安の用途で利用可能であるか否かを示す識別子と、を含むシステム情報ブロックを基地局から受信する処理と、前記公安の用途で前記Ｄ２Ｄディスカバリーを行う場合、前記識別子に基づいて、前記公安の用途で利用可能なリソースプールを前記Ｄ２Ｄディスカバリーに用いる処理と、を実行する。
【０００８】
一実施形態に係るプロセッサは、基地局のためのプロセッサである。前記プロセッサは、Ｄ２Ｄディスカバリーに用いるリソースプールを示す情報と、前記リソースプールが公安の用途で利用可能であるか否かを示す識別子と、を含むシステム情報ブロックをユーザ端末に送信する処理を実行する。
【図面の簡単な説明】
【０００９】
【図１】第１実施形態乃至第６実施形態に係るＬＴＥシステムの構成図である。
【図２】第１実施形態乃至第６実施形態に係るＵＥ（ユーザ端末）のブロック図である。
【図３】第１実施形態乃至第６実施形態に係るｅＮＢ（基地局）のブロック図である。
【図４】ＬＴＥシステムにおける無線インターフェイスのプロトコルスタック図である。
【図５】ＬＴＥシステムで使用される無線フレームの構成図である。
【図６】第１実施形態に係る動作環境を示す図である。
【図７】第１実施形態に係る動作を示す図である。
【図８】第２実施形態に係る動作環境を示す図である。
【図９】第２実施形態に係るＵＥの動作を示す図である。
【図１０】第３実施形態に係るＵＥの動作を示す図である。
【図１１】第４実施形態に係るＵＥの動作を示す図である。
【図１２】第５実施形態に係るＵＥの動作を示す図である。
【図１３】第６実施形態に係るＵＥの動作を示す図である。
【図１４】付記１に係る図である。
【図１５】付記１に係る図である。
【図１６】付記２に係る図である。
【図１７】付記２に係る図である。
【発明を実施するための形態】
【００１０】
［実施形態の概要］
ところで、ユーザ端末は、アイドルモードにおいてサービングセル（待ち受け先セル）として適切なセルを選択するセル選択及び／又はセル再選択を行う。
【００１１】
現状のセル選択及び／又はセル再選択の仕様は、ユーザ端末がＤ２Ｄ近傍サービスに興味を持つか否かと無関係に適切なセルを選択するものである。
【００１２】
しかしながら、Ｄ２Ｄ近傍サービスに利用可能な周波数及びＰＬＭＮ（Ｐｕｂｌｉｃ  Ｌａｎｄ  Ｍｏｂｉｌｅ  Ｎｅｔｗｏｒｋ）は限定され得るため、Ｄ２Ｄ近傍サービスに最適化されたセル選択及びセル再選択を実現することが望まれる。
【００１３】
そこで、実施形態は、Ｄ２Ｄ近傍サービスに最適化されたセル選択及び／又はセル再選択を実現可能とするユーザ端末及び基地局を提供する。
【００１４】
第１実施形態に係るユーザ端末は、アイドルモードにおけるセル選択及び／又はセル再選択に適用される選択規則として、第１の選択規則及び第２の選択規則の何れかの選択規則を指定する設定情報を基地局から受信する受信部と、前記アイドルモードにおいて、前記設定情報により指定された前記選択規則に従って前記セル選択及び／又は前記セル再選択を行う制御部と、を備える。前記第１の選択規則は、Ｄ２Ｄ近傍サービスに自ユーザ端末が興味を持つか否かと無関係に、適切なセルを選択する選択規則である。前記第２の選択規則は、前記Ｄ２Ｄ近傍サービスに自ユーザ端末が興味を持つ場合に、前記Ｄ２Ｄ近傍サービスに利用可能な周波数に属するセルを適切なセルとして優先的に選択する選択規則である。
【００１５】
第１実施形態では、前記受信部は、前記Ｄ２Ｄ近傍サービスに利用可能な周波数のリストを前記基地局から受信する。前記Ｄ２Ｄ近傍サービスに利用可能な各周波数は、前記リストにおいて前記第２の選択規則における優先度と関連付けられている。
【００１６】
第１実施形態に係る基地局は、アイドルモードにおけるセル選択及び／又はセル再選択に適用される選択規則として、第１の選択規則及び第２の選択規則の何れかの選択規則を指定する設定情報をユーザ端末に送信する送信部を備える。前記第１の選択規則は、前記ユーザ端末がＤ２Ｄ近傍サービスに興味を持つか否かと無関係に、適切なセルを選択する選択規則である。前記第２の選択規則は、前記ユーザ端末が前記Ｄ２Ｄ近傍サービスに興味を持つ場合に、前記Ｄ２Ｄ近傍サービスに利用可能な周波数に属するセルを適切なセルとして優先的に選択する選択規則である。
【００１７】
第１実施形態では、前記送信部は、前記Ｄ２Ｄ近傍サービスに利用可能な周波数のリストを前記ユーザ端末に送信する。前記Ｄ２Ｄ近傍サービスに利用可能な各周波数は、前記リストにおいて前記第２の選択規則における優先度と関連付けられている。
【００１８】
第２実施形態に係るユーザ端末は、加入者情報を記憶する着脱可能な記憶媒体が取り付けられる。前記ユーザ端末は、アイドルモードにおけるセル選択及び／又はセル再選択を制御する制御部を備える。前記着脱可能な記憶媒体は、Ｄ２Ｄ近傍サービスに利用可能な周波数として、事前設定された周波数を記憶している。前記制御部は、前記アイドルモードにおいて前記Ｄ２Ｄ近傍サービスに自ユーザ端末が興味を持つ場合に、前記セル選択及び／又は前記セル再選択において前記事前設定された周波数を最高優先度の周波数として設定する。
【００１９】
第２実施形態では、前記制御部は、前記Ｄ２Ｄ近傍サービスに自ユーザ端末が興味を持つ場合には、前記セル選択及び／又は前記セル再選択において前記事前設定された周波数に属する適切なセルが発見されなくても、前記Ｄ２Ｄ近傍サービスを行うために前記事前設定された周波数を選択する。
【００２０】
第３実施形態に係るユーザ端末は、加入者情報を記憶する着脱可能な記憶媒体が取り付けられる。前記ユーザ端末は、アイドルモードにおけるＰＬＭＮ選択を行うＮＡＳエンティティと、前記アイドルモードにおけるセル選択及び／又はセル再選択を行うＡＳエンティティと、を含む制御部を備える。前記着脱可能な記憶媒体は、Ｄ２Ｄ近傍サービスに利用可能な周波数として、事前設定された周波数を記憶している。前記ＡＳエンティティは、前記事前設定された周波数において発見された特定のＰＬＭＮを前記ＮＡＳエンティティに通知する。前記ＮＡＳエンティティは、前記特定のＰＬＭＮが現在選択しているＰＬＭＮとは異なる場合に、前記現在選択しているＰＬＭＮからデタッチし、前記特定のＰＬＭＮを選択する。
【００２１】
第３実施形態では、前記ＡＳエンティティは、前記ＮＡＳエンティティからＰＬＭＮ検索指示を受けるまで、前記特定のＰＬＭＮを記憶する。前記ＡＳエンティティは、前記ＮＡＳエンティティから前記ＰＬＭＮ検索指示を受けた場合に、前記特定のＰＬＭＮを前記ＮＡＳエンティティに通知する。
【００２２】
第４実施形態に係るユーザ端末は、コネクティッドモードにおいて、Ｄ２Ｄ近傍サービスに自ユーザ端末が興味を持ち、且つ、サービングセルがＤ２Ｄ近傍サービスに利用可能なセルである場合に、前記サービングセルにＤ２Ｄ興味通知を送信可能な制御部を備える。前記制御部は、前記コネクティッドモードにおいて、前記Ｄ２Ｄ近傍サービスに自ユーザ端末が興味を持ち、且つ、前記サービングセルが前記Ｄ２Ｄ近傍サービスを利用不能なセルである場合に、前記サービングセルとのＲＲＣ接続を解放する。
【００２３】
第４実施形態では、前記制御部は、ＮＡＳエンティティ及びＡＳエンティティを含む。前記ＡＳエンティティは、前記コネクティッドモードにおいて、前記Ｄ２Ｄ近傍サービスに自ユーザ端末が興味を持ち、且つ、前記サービングセルが前記Ｄ２Ｄ近傍サービスを利用不能なセルである場合に、前記ＲＲＣ接続を解放し、前記ＲＲＣ接続を解放したことを前記ＮＡＳエンティティに通知する。
【００２４】
第４実施形態では、前記制御部は、ＮＡＳエンティティ及びＡＳエンティティを含む。前記ＡＳエンティティは、前記コネクティッドモードにおいて、前記Ｄ２Ｄ近傍サービスに自ユーザ端末が興味を持ち、且つ、前記サービングセルが前記Ｄ２Ｄ近傍サービスを利用不能なセルである場合に、前記ＲＲＣ接続を解放するための処理を前記ＮＡＳエンティティに要求する。
【００２５】
第５実施形態に係るユーザ端末は、Ｄ２Ｄ発見手続及びＤ２Ｄ通信を含むＤ２Ｄ近傍サービスをサポートする。前記ユーザ端末は、アイドルモードにおけるセル選択及び／又はセル再選択を制御する制御部を備える。前記制御部は、前記アイドルモードにおいて前記Ｄ２Ｄ発見手続及び前記Ｄ２Ｄ通信の両方に興味を持つ場合に、前記セル選択及び／又は前記セル再選択において、前記Ｄ２Ｄ発見手続及び前記Ｄ２Ｄ通信の両方に利用可能な周波数を最高優先度の周波数として設定する。
【００２６】
第５実施形態では、前記制御部は、前記アイドルモードにおいて前記Ｄ２Ｄ発見手続及び前記Ｄ２Ｄ通信の両方に興味を持ち、且つ、前記Ｄ２Ｄ発見手続及び前記Ｄ２Ｄ通信の両方に利用可能な周波数が存在しない場合に、優先順位に応じて、前記Ｄ２Ｄ発見手続に利用可能な周波数及び前記Ｄ２Ｄ通信に利用可能な周波数のうち何れかを最高優先度の周波数として設定する。前記優先順位は、セル固有参照信号の測定値、又は、ＮＡＳエンティティからＡＳエンティティへの指示に基づく。
【００２７】
第６実施形態に係るユーザ端末は、アイドルモードにおいて自ユーザ端末がＤ２Ｄ近傍サービスに興味を持つ場合に、前記Ｄ２Ｄ近傍サービスに利用可能な複数の周波数の中から、セル選択及び／又はセル再選択において優先する周波数を設定する制御部を備える。前記複数の周波数のそれぞれは、前記Ｄ２Ｄ近傍サービスに利用可能なＤ２Ｄ無線リソースを含む。前記制御部は、前記複数の周波数のそれぞれの前記Ｄ２Ｄ無線リソースの量を比較することにより、前記セル選択及び／又は前記セル再選択において優先する周波数を設定する。
【００２８】
［第１実施形態］
以下において、本発明をＬＴＥシステムに適用する場合の実施形態を説明する。
【００２９】
（システム構成）
以下において、第１実施形態に係るＬＴＥシステムの構成について説明する。図１は、第１実施形態に係るＬＴＥシステムの構成図である。図１に示すように、第１実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３０】
ＵＥ１００は、ユーザ端末に相当する。ＵＥ１００は、移動型の通信装置であり、接続先のセル（サービングセル）との無線通信を行う。ＵＥ１００の構成については後述する。
【００３１】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３２】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３３】
ＥＰＣ２０は、コアネットワークに相当する。Ｅ−ＵＴＲＡＮ１０及びＥＰＣ２０によりＬＴＥシステムのネットワークが構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３４】
図２は、ＵＥ１００のブロック図である。図２に示すように、ＵＥ１００は、アンテナ１０１、無線送受信機１１０、ユーザインターフェイス１２０、ＵＩＣＣ（Ｕｎｉｖｅｒｓａｌ  Ｉｎｔｅｇｒａｔｅｄ  Ｃｉｒｃｕｉｔ  Ｃａｒｄ）１３０、バッテリ１４０、メモリ１５０、及びプロセッサ１６０を備える。メモリ１５０は記憶部に相当し、プロセッサ１６０は制御部に相当する。ＵＥ１００は、ＧＮＳＳ受信機１３０を有していなくてもよい。また、メモリ１５０をプロセッサ１６０と一体化し、このセット（すなわち、チップセット）を、制御部を構成するプロセッサ１６０’としてもよい。
【００３５】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。無線送受信機１１０及びプロセッサ１６０は、送信部及び受信部を構成する。
【００３６】
無線送受信機１１０は、複数の送信機及び／又は複数の受信機を含んでもよい。第１実施形態では、無線送受信機１１０が１つの送信機及び１つの受信機のみを含むケースを主として想定する。
【００３７】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００３８】
ＵＩＣＣ１３０は、加入者情報を記憶する着脱可能な記憶媒体である。ＵＩＣＣ１３０は、ＳＩＭ（Ｓｕｂｓｃｒｉｂｅｒ  Ｉｄｅｎｔｉｔｙ  Ｍｏｄｕｌｅ）又はＵＳＩＭ（Ｕｎｉｖｅｒｓａｌ  ＳＩＭ）と称されることがある。
【００３９】
バッテリ１４０は、ＵＥ１００の各ブロックに供給すべき電力を蓄える。ＵＥ１００がカード型端末である場合、ＵＥ１００は、ユーザインターフェイス１２０及びバッテリ１４０を備えていなくてもよい。
【００４０】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４１】
図３は、ｅＮＢ２００のブロック図である。図３に示すように、ｅＮＢ２００は、アンテナ２０１、無線送受信機２１０、ネットワークインターフェイス２２０、メモリ２３０、及びプロセッサ２４０を備える。メモリ２３０は記憶部に相当し、プロセッサ２４０は制御部に相当する。なお、メモリ２３０をプロセッサ２４０と一体化し、このセット（すなわち、チップセット）を、制御部を構成するプロセッサ２４０’としてもよい。
【００４２】
アンテナ２０１及び無線送受信機２１０は、無線信号の送受信に用いられる。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。無線送受信機２１０及びプロセッサ２４０は、送信部及び受信部を構成する。
【００４３】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４４】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４５】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４６】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４７】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するスケジューラを含む。
【００４８】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４９】
ＰＤＣＰ層は、ヘッダ圧縮・伸張、及び暗号化・復号化を行う。
【００５０】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードであり、そうでない場合、ＵＥ１００はＲＲＣアイドルモードである。
【００５１】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００５２】
ＵＥ１００において、物理層乃至ＲＲＣ層は、ＡＳ（Ａｃｃｅｓｓ  Ｓｔｒａｔｕｍ）エンティティ１００Ａを構成する。ＮＡＳ層は、ＮＡＳエンティティ１００Ｂを構成する。ＡＳエンティティ１００Ａ及びＮＡＳエンティティ１００Ｂの機能はプロセッサ１６０（制御部）により実行される。すなわち、プロセッサ１６０（制御部）は、ＡＳエンティティ１００Ａ及びＮＡＳエンティティ１００Ｂを含む。アイドルモードにおいて、ＡＳエンティティ１００Ａはセル選択／再選択を行い、ＮＡＳエンティティ１００ＢはＰＬＭＮ選択を行う。
【００５３】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００５４】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００５５】
（セル選択／再選択の基本動作）
以下において、セル選択及び／又はセル再選択（セル選択／再選択）の基本動作について説明する。ＵＥ１００のＡＳエンティティ１００Ａは、アイドルモードにおいて、サービングセル（待ち受け先セル）として適切なセルを選択するセル選択／再選択を行う。ＵＥ１００は、アイドルモードにおいてセル選択／再選択を行う。
【００５６】
ＬＴＥでのセル選択／再選択は、”ｂｅｓｔ  ｃｅｌｌ  ｐｒｉｎｃｉｐｌｅ”と称される、受信電力が最も高いセルを選択するというコンセプトが採用されている。また、ＬＴＥではセルサーチ時に優先度が高い周波数を常に測定対象とすること、及び、優先度が高いほどセル移行条件が緩和されること、により優先度が高い周波数を選択しやすい状況が実現される。
【００５７】
また、ＬＴＥでは、周波数ごとに優先度を持ち、周辺セル測定時及びセル再選択評価時に優先度が考慮される。周波数と優先度との対応関係は、ｅＮＢ２００からのシステム情報（Ｓｙｓｔｅｍ  ｉｎｆｏｒｍａｔｉｏｎ）内で通知される。以下においては、周波数と優先度との対応関係がＳＩＢ５（Ｓｙｓｔｅｍ  ｉｎｆｏｒｍａｔｉｏｎ  Ｂｌｏｃｋ  ｔｙｐｅ  ５）で通知されると仮定する。
【００５８】
例えば、ＵＥ１００のＡＳエンティティ１００Ａは、アイドルモードにおけるセル選択／再選択に適用される選択規則として、一般的な選択規則（第１の選択規則）を適用する。
【００５９】
ａ）再選択評価を行うセルの周波数優先度 > 在圏しているセルの周波数優先度の場合、評価セルの受信電力がある時間継続して閾値よりも高い場合に評価セルに移行する。
【００６０】
ｂ）再選択評価を行うセルの周波数優先度= 在圏しているセルの周波数優先度の場合、受信電力に応じてセルのランク付けを行い、評価セルのランクが在圏中のセルのランクより高い状態がある時間継続した場合に評価セルに移行する。
【００６１】
ｃ）再選択評価を行うセルの周波数優先度 < 在圏しているセルの周波数優先度の場合、在圏セルの受信電力がある閾値よりも低く、かつ、評価セルの受信電力が別の閾値よりも高い状態をある時間継続した場合に評価セルに移行する。
【００６２】
なお、通常の選択規則（第１の選択規則）は、ＵＥ１００がＤ２Ｄ近傍サービスに興味を持つか否かと無関係に適切なセルを選択するものである。ＵＥ１００がＤ２Ｄ近傍サービスに興味を持つとは、ＵＥ１００がＤ２Ｄ近傍サービスの利用開始を決定したが未だ利用を開始していない状態、又は、ＵＥ１００が既にＤ２Ｄ近傍サービスを利用している状態を意味する。
【００６３】
（Ｄ２Ｄ発見手続の概要）
以下において、第１実施形態に係るＤ２Ｄ近傍サービスについて、Ｄ２Ｄ発見手続を主として説明する。実施形態に係るＬＴＥシステムは、Ｄ２Ｄ近傍サービスをサポートする。
【００６４】
Ｄ２Ｄ近傍サービス（Ｄ２Ｄ  ＰｒｏＳｅ）は、同期がとられた複数のＵＥ１００からなる同期クラスタ内で直接的なＵＥ間通信を可能とするサービスである。Ｄ２Ｄ近傍サービスは、近傍ＵＥを発見するＤ２Ｄ発見手続（ＰｒｏＳｅ  Ｄｉｓｃｏｖｅｒｙ）と、直接的なＵＥ間通信であるＤ２Ｄ通信（ＰｒｏＳｅ  Ｃｏｍｍｕｎｉｃａｔｉｏｎ）と、を含む。
【００６５】
同期クラスタを形成する全ＵＥ１００がセルカバレッジ内に位置するシナリオを「カバレッジ内（Ｉｎ  ｃｏｖｅｒａｇｅ）」という。同期クラスタを形成する全ＵＥ１００がセルカバレッジ外に位置するシナリオを「カバレッジ外（Ｏｕｔ  ｏｆ  ｃｏｖｅｒａｇｅ）」という。同期クラスタのうち一部のＵＥ１００がセルカバレッジ内に位置し、残りのＵＥ１００がセルカバレッジ外に位置するシナリオを「部分的カバレッジ（Ｐａｒｔｉａｌ  ｃｏｖｅｒａｇｅ）」という。
【００６６】
現状、Ｄ２Ｄ発見手続は、カバレッジ内でのみ行われることが想定されている。以下においては、カバレッジ内でＤ２Ｄ発見手続が行われるケースを主として想定する。
【００６７】
なお、Ｄ２Ｄ発見手続では、ＵＥ１００は、近傍端末を発見するためのＤ２Ｄ発見信号（Ｄｉｓｃｏｖｅｒｙ信号）を送信する。Ｄ２Ｄ発見手続の方式として、ＵＥ１００に固有に割り当てられない無線リソースがＤ２Ｄ発見信号の送信に使用される第１の方式（Ｔｙｐｅ  １  ｄｉｓｃｏｖｅｒｙ）と、ＵＥ１００毎に固有に割り当てられる無線リソースがＤ２Ｄ発見信号の送信に使用される第２の方式（Ｔｙｐｅ  ２  ｄｉｓｃｏｖｅｒｙ）とがある。第２の方式では、Ｄ２Ｄ発見信号の送信毎に個別に割り当てられた無線リソース、又は、半固定的（ｓｅｍｉ−ｐｅｒｓｉｓｔｅｎｔｌｙ）に割り当てられた無線リソースが使用される。
【００６８】
カバレッジ内では、ｅＮＢ２００がＤ２Ｄ同期元となる。ｅＮＢ２００は、Ｄ２Ｄ近傍サービスに関するＳＩＢを送信する。以下において、このようなＳＩＢをＳＩＢ１９と称する。ＳＩＢ１９は、ブロードキャストで送信されるシステム情報の一種である。
【００６９】
ＳＩＢ１９は、自セルにおいてＤ２Ｄ発見信号の伝送に使用されるＤ２Ｄ発見リソースプールを示すリソースプール情報を含む。Ｄ２Ｄ発見リソースプールは、送信用のリソースプールと受信用のリソースプールとを個別に含んでもよい。また、ＳＩＢ１９は、自セルの周波数とは異なる他の周波数であって、Ｄ２Ｄ発見手続に利用可能な周波数を示す周波数リストを含む。周波数リストは、異なる周波数間でのＤ２Ｄ発見手続（Ｉｎｔｅｒ−ｆｒｅｑｕｅｎｃｙ  Ｄｉｓｃｏｖｅｒｙ）のために使用される。
【００７０】
（第１実施形態に係る動作）
以下において、第１実施形態に係る動作について説明する。図６は、第１実施形態に係る動作環境を示す図である。
【００７１】
図６に示すように、ｅＮＢ２００−１のセル＃１には、アイドルモードのＵＥ１００−１が在圏（キャンプ）している。ｅＮＢ２００−２のセル＃２には、アイドルモード又はコネクティッドモードのＵＥ１００−２が在圏している。セル＃１及びセル＃２は少なくとも部分的に重複している。
【００７２】
また、セル＃１が属する周波数＃１とセル＃２が属する周波数＃２とは異なっている。ここでは、周波数＃１がＤ２Ｄ発見手続に利用不能な周波数であり、周波数＃２がＤ２Ｄ発見手続に利用可能な周波数であると仮定する。ｅＮＢ２００−１は、周波数＃２を含む周波数リストをＳＩＢ１９によりＵＥ１００−１に通知している。
【００７３】
ＵＥ１００−２は、セル＃２のＤ２Ｄ発見リソースプール内の無線リソース（Ｄ２Ｄ無線リソース）を使用してＤ２Ｄ発見信号を送信する。ＵＥ１００−１は、ｅＮＢ２００−１との下りリンクの通信（セルラ通信）を行わない期間内で、周波数＃２において送信されるＤ２Ｄ発見信号を監視することが可能である。このような期間は、間欠受信（ＤＲＸ）におけるオフ期間、又は、ｅＮＢ２００−１から割り当てられる監視ギャップの期間である。
【００７４】
よって、ＵＥ１００−１がＤ２Ｄ発見信号の監視（受信）に興味を持つ場合、セル＃１にキャンプしたまま周波数＃２のＤ２Ｄ発見信号を監視することができる。これに対し、ＵＥ１００−１がＤ２Ｄ発見信号の送信に興味を持つ場合、セル＃１にキャンプしたまま周波数＃２のＤ２Ｄ発見信号を送信することは困難である。
【００７５】
従って、ＵＥ１００−１がＤ２Ｄ発見手続（特に、Ｄ２Ｄ発見信号の送信）に興味を持つ場合には、Ｄ２Ｄ発見手続に利用可能な周波数＃２に属するセル＃２をセル選択／再選択において優先的に選択することが望ましい。但し、全てのＵＥ１００に一律にそのような選択規則を課す場合、特定のセルに多くのＵＥ１００が集中することに繋がるため、状況に応じて選択規則を切り替え可能とすることが望ましい。
【００７６】
図７は、第１実施形態に係る動作を示す図である。図７において、ＵＥ１００−１はアイドルモードであると仮定する。
【００７７】
図７に示すように、ステップＳ１１０において、ｅＮＢ２００−１は、周波数と優先度との対応関係を含むＳＩＢ５を送信する。ＵＥ１００−１は、ｅＮＢ２００−１からＳＩＢ５を受信する。
【００７８】
ステップＳ１２０において、ｅＮＢ２００−１は、Ｄ２Ｄ発見手続に利用可能な周波数のリスト（周波数リスト）を含むＳＩＢ１９を送信する。ＵＥ１００−１は、ｅＮＢ２００−１からＳＩＢ１９を受信する。
【００７９】
実施形態では、ＳＩＢ１９は、アイドルモードにおけるセル選択／再選択に適用される選択規則として、第１の選択規則及び第２の選択規則の何れかの選択規則を指定する設定情報（以下、「選択規則設定情報」）を含む。
【００８０】
第１の選択規則は、Ｄ２Ｄ発見手続に自ＵＥ１００が興味を持つか否かと無関係に、適切なセルを選択する選択規則である。すなわち、第１の選択規則は、一般的な選択規則（すなわち、既存の選択規則）である。
【００８１】
これに対し、第２の選択規則は、Ｄ２Ｄ発見手続に自ＵＥ１００が興味を持つ場合に、Ｄ２Ｄ発見手続に利用可能な周波数に属するセルを適切なセルとして優先的に選択する選択規則である。
【００８２】
実施形態では、Ｄ２Ｄ発見手続に利用可能な各周波数は、周波数リストにおいて第２の選択規則における優先度と関連付けられている。例えば、リスト中の周波数の順番によって優先度が表現される。或いは、リスト中のそれぞれの周波数に対して紐付いた優先度情報が付加されている。例えば、第２の選択規則は、ＳＩＢ５で指定される優先度だけでなく、ＳＩＢ１９で指定される優先度も使用してセル選択／再選択を行う規則とすることができる。
【００８３】
ステップＳ１３０において、ＵＥ１００−１は、ｅＮＢ２００−１から受信した選択規則設定情報により指定された選択規則に従って、セル選択／再選択を行う。例えば、第１の選択規則に従ってセル選択／再選択を行うＵＥ１００−１が、第２の選択規則を指定する選択規則設定情報をｅＮＢ２００−１から受信した場合を想定する。この場合、ＵＥ１００−１は、第１の選択規則から第２の選択規則に切り替えて、セル選択／再選択を行う。
【００８４】
このように、第１実施形態によれば、セル選択／再選択における選択規則を状況に応じて切り替え可能とすることができる。
【００８５】
なお、実施形態では、選択規則設定情報がＳＩＢ１９によりブロードキャストで送信されている。しかしながら、選択規則設定情報は、個別ＲＲＣシグナリングによりユニキャストで送信されてもよい。
【００８６】
また、実施形態では、第２の選択規則は、Ｄ２Ｄ発見手続に自ＵＥ１００が興味を持つ場合に、Ｄ２Ｄ発見手続に利用可能な周波数に属するセルを適切なセルとして優先的に選択する選択規則である。しかしながら、第２の選択規則は、Ｄ２Ｄ発見信号の送信のみ（又は受信のみ）に自ＵＥ１００が興味を持つ場合に、Ｄ２Ｄ発見手続に利用可能な周波数に属するセルを適切なセルとして優先的に選択する選択規則であるとしてもよい。
【００８７】
［第２実施形態］
次に、第２実施形態について、第１実施形態との相違点を主として説明する。第２実施形態に係るシステム構成及びセル選択／再選択の基本動作は、第１実施形態と同様である。第２実施形態では、Ｄ２Ｄ近傍サービスのうちＤ２Ｄ通信について主として説明する。
【００８８】
（Ｄ２Ｄ通信の概要）
現状、Ｄ２Ｄ通信は、カバレッジ内、カバレッジ外、及び部分的カバレッジで行われることが想定されている。また、実施形態では、ＵＩＣＣ１３０に記憶された、事前設定された周波数のみがＤ２Ｄ通信に利用可能であると想定する。
【００８９】
なお、Ｄ２Ｄ通信のモードとして、Ｄ２Ｄデータ（ユーザデータ及び／又は制御信号）を送信するための無線リソースをｅＮＢ２００（又はリレーノード）が割り当てる第１のモード（Ｍｏｄｅ  １）と、ＵＥ１００自身が、Ｄ２Ｄデータを送信するための無線リソースをリソースプールから選択する第２のモード（Ｍｏｄｅ  ２）と、がある。ＵＥ１００は、いずれかのモードでＤ２Ｄ通信を行う。例えば、コネクティッドモードのＵＥ１００は第１のモードでＤ２Ｄ通信を行い、カバレッジ外のＵＥ１００は第２のモードでＤ２Ｄ通信を行う。
【００９０】
（第２実施形態に係る動作）
以下において、第２実施形態に係る動作について説明する。図８は、第２実施形態に係る動作環境を示す図である。
【００９１】
図８に示すように、ｅＮＢ２００−２のセル＃２は、ｅＮＢ２００−１のセル＃１と少なくとも部分的に重複している。ｅＮＢ２００−１のセル＃１には、アイドルモードのＵＥ１００−１及びＵＥ１００−２が在圏（キャンプ）している。特に、ＵＥ１００−１は、セル＃１及びセル＃２の重複領域に在圏している。
【００９２】
また、セル＃１が属する周波数＃１とセル＃２が属する周波数＃２とは異なっている。ここでは、周波数＃１がＤ２Ｄ通信に利用不能な周波数であり、周波数＃２がＤ２Ｄ通信に利用可能な周波数であると仮定する。ＵＥ１００−１及びＵＥ１００−２のそれぞれのＵＩＣＣ１３０には、事前設定された周波数＃２が記憶されている。
【００９３】
さらに、セル＃１が属するＰＬＭＮ＃１とセル＃２が属するＰＬＭＮ＃２とは異なっている。例えば、ＰＬＭＮ＃１は、商用サービスを提供するオペレータのＰＬＭＮである。これに対し、ＰＬＭＮ＃２は、公安サービスを提供するオペレータのＰＬＭＮである。異なるＰＬＭＮの取り扱いについては、第３実施形態で説明する。
【００９４】
Ｄ２Ｄ通信が公安サービスに適用されると仮定した場合、Ｄ２Ｄ通信に興味を持つＵＥ１００−１がＤ２Ｄ通信を行うことが可能である必要がある。また、ＵＩＣＣ１３０に記憶された、事前設定された周波数のみがＤ２Ｄ通信に利用可能であると仮定した場合、事前設定された周波数に属するセルのみがセル選択／再選択において優先的に選択されることが望ましい。
【００９５】
図９は、第２実施形態に係るＵＥ１００の動作を示す図である。図９において、ＵＥ１００はアイドルモードであると仮定する。
【００９６】
図９に示すように、ステップＳ２１０において、ＵＥ１００は、Ｄ２Ｄ通信に興味を持つか否かを判断する。例えば、ＵＥ１００は、公安サービスを利用する必要が生じたか否かを判断する。
【００９７】
Ｄ２Ｄ通信に興味を持つ場合（ステップＳ２１０；ＹＥＳ）、ステップＳ２２０において、ＵＥ１００は、セル選択／再選択において、自身のＵＩＣＣ１３０に記憶された、事前設定された周波数を最高優先度の周波数として設定する。
【００９８】
これに対し、Ｄ２Ｄ通信に興味を持たない場合（ステップＳ２１０；ＮＯ）、ステップＳ２３０において、ＵＥ１００は、上述した一般的なセル選択／再選択（既存のセル選択／再選択）を行う。
【００９９】
このように、Ｄ２Ｄ通信に興味を持つＵＥ１００は、セル選択／再選択において、自身のＵＩＣＣ１３０に記憶された、事前設定された周波数を最高優先度の周波数として設定する。これにより、事前設定された周波数に属するセルを優先的に選択し、当該セルにおいてＤ２Ｄ通信を行うことができる。なお、当該事前設定された周波数は、上位エンティティ（ＮＡＳエンティティ１００Ｂ、アプリケーション層など）からＡＳエンティティ１００Ａに提供されてもよい。更に、当該提供された周波数（周波数識別子）には、事前設定された周波数である旨を示す情報が付加されていてもよい。
【０１００】
但し、事前設定された周波数に属するどのセルからも圏外の位置に居るＵＥ１００（図８のＵＥ１００−２）については、事前設定された周波数に属するセルを適切なセルとして選択することができない。
【０１０１】
よって、ＵＥ１００は、Ｄ２Ｄ通信に自ＵＥ１００が興味を持つ場合には、セル選択／再選択において事前設定された周波数に属する適切なセルが発見されなくても、Ｄ２Ｄ通信を行うために事前設定された周波数を選択することが好ましい。例えば、図８のＵＥ１００−２は、周波数＃２の仮想的なセルを選択することにより、周波数＃２に在圏し、周波数＃１の圏外に遷移することにより、周波数＃２においてＤ２Ｄ通信を行う。
【０１０２】
［第３実施形態］
次に、第３実施形態について、第１実施形態及び第２実施形態との相違点を主として説明する。第３実施形態に係るシステム構成及びセル選択／再選択の基本動作は、第１実施形態と同様である。第３実施形態では、ＰＬＭＮ選択について主として説明する。
【０１０３】
（ＰＬＭＮ選択の概要）
以下において、ＰＬＭＮ選択の概要について説明する。
【０１０４】
ＰＬＭＮ選択において、ＮＡＳエンティティ１００Ｂは、ＰＬＭＮのリストを保持しており、当該リストから選択したＰＬＭＮをＡＳエンティティ１００Ａに通知して、当該ＰＬＭＮに属するセルを選択するよう要求する。また、ＮＡＳエンティティ１００Ｂは、ＡＳエンティティ１００Ａから利用可能なＰＬＭＮの報告を受けると、当該ＰＬＭＮについて評価する。
【０１０５】
ＰＬＭＮ選択において、ＡＳエンティティ１００Ａは、ブロードキャストチャネルを取得し、利用可能なＰＬＭＮを検索する。また、ＡＳエンティティ１００Ａは、ＰＬＭＮ選択のための各種の測定を行う。ＡＳエンティティ１００Ａは、ＮＡＳエンティティ１００Ｂからの要求に応じて、又は自律的に、利用可能なＰＬＭＮをＮＡＳエンティティ１００Ｂに報告する。
【０１０６】
（第３実施形態に係る動作）
図８で示したように、Ｄ２Ｄ通信に利用可能な周波数に属するセルが、特定のＰＬＭＮに属している場合が想定される。特定のＰＬＭＮとは、例えば公安サービスを提供するオペレータのＰＬＭＮである。よって、Ｄ２Ｄ通信に興味を持つＵＥ１００が特定のＰＬＭＮを選択できるようにする必要がある。
【０１０７】
図１０は、第３実施形態に係るＵＥ１００の動作を示す図である。本動作は、例えばＵＥ１００がＤ２Ｄ通信に利用可能な周波数を選択するためにＲＲＣ接続を解放してアイドルモードに遷移した後、最初のセル選択時に行われる。ＲＲＣ接続を解放する動作については、第４実施形態で説明する。
【０１０８】
図１０に示すように、ステップＳ３１０において、ＡＳエンティティ１００Ａは、ＵＩＣＣ１３０に記憶された、事前設定された周波数についてＰＬＭＮ検索を行う。なお、ステップＳ３２０はオプションの動作であるため、後述する。
【０１０９】
ステップＳ３３０において、ＡＳエンティティ１００Ａは、ＰＬＭＮ検索により、事前設定された周波数において発見された特定のＰＬＭＮ（ＰＬＭＮ識別子）をＮＡＳエンティティ１００Ｂに通知する。
【０１１０】
ステップＳ３４０において、ＮＡＳエンティティ１００Ｂは、通知された特定のＰＬＭＮが現在選択しているＰＬＭＮとは異なる場合に、現在選択しているＰＬＭＮからデタッチする。すなわち、現在選択しているＰＬＭＮに対する登録を解除する処理を行う。
【０１１１】
ステップＳ３５０において、ＮＡＳエンティティ１００Ｂは、通知された特定のＰＬＭＮを選択する。
【０１１２】
なお、ステップＳ３２０においてＮＡＳエンティティ１００ＢからＡＳエンティティ１００Ａに対してＰＬＭＮ検索指示がなされる場合、ＡＳエンティティ１００Ａは、以下のように動作する。
【０１１３】
ＡＳエンティティ１００Ａは、ＮＡＳエンティティ１００ＢからＰＬＭＮ検索指示を受けるまで、特定のＰＬＭＮ（ＰＬＭＮ識別子）を記憶する。
【０１１４】
そして、ＡＳエンティティ１００Ａは、ＮＡＳエンティティ１００ＢからＰＬＭＮ検索指示を受けた場合に、特定のＰＬＭＮをＮＡＳエンティティ１００Ｂに通知する。具体的には、ＡＳエンティティ１００Ａは、ＮＡＳエンティティ１００ＢからのＰＬＭＮ検索指示を受けても、改めてＰＬＭＮ検索を行うことなく、特定のＰＬＭＮをＮＡＳエンティティ１００Ｂに通知する。また、ＡＳエンティティ１００Ａは、特定のＰＬＭＮを最優先のＰＬＭＮとしてＮＡＳエンティティ１００Ｂに通知してもよい。
【０１１５】
［第４実施形態］
次に、第４実施形態について、第１実施形態乃至第３実施形態との相違点を主として説明する。第４実施形態に係るシステム構成及びセル選択／再選択の基本動作は、第１実施形態と同様である。
【０１１６】
第４実施形態では、コネクティッドモードのＵＥ１００が、第２実施形態及び第３実施形態に係る動作を行うために、ＲＲＣ接続を解放する動作を説明する。よって、第４実施形態は、第２実施形態及び第３実施形態に係る動作と併用されることが好ましい。
【０１１７】
図１１は、第４実施形態に係るＵＥ１００の動作を示す図である。図１１の初期状態において、ＵＥ１００はコネクティッドモードであると仮定する。また、ＵＥ１００のサービングセルは、Ｄ２Ｄ通信に利用不能な周波数に属していると仮定する。
【０１１８】
図１１に示すように、ステップＳ４１０において、ＵＥ１００は、Ｄ２Ｄ通信に自ＵＥ１００が興味を持つか否かを判断する。
【０１１９】
Ｄ２Ｄ通信に自ＵＥ１００が興味を持つ場合（ステップＳ４１０；ＹＥＳ）、ステップＳ４２０において、ＵＥ１００は、サービングセルがＤ２Ｄ近傍サービスをサポートしているか否かを判断する。具体的には、ＵＥ１００は、サービングセルがＤ２Ｄ興味通知の受信をサポートしているか否かを判断する。例えば、ＵＥ１００は、サービングセルがＳＩＢ１９を送信しない場合に、当該サービングセルがＤ２Ｄ興味通知の受信をサポートしていないと判断する。なお、Ｄ２Ｄ興味通知は、Ｄ２Ｄ  ｉｎｄｉｃａｔｉｏｎ、ＰｒｏＳｅ  ｉｎｄｉｃａｔｉｏｎ、ＰｒｏＳｅ  ＵＥ  ｉｎｆｏｒｍａｔｉｏｎなどと称されることがある。
【０１２０】
サービングセルがＤ２Ｄ興味通知の受信をサポートしている場合（ステップＳ４２０；ＹＥＳ）、ステップＳ４３０において、ＵＥ１００は、自ＵＥ１００がＤ２Ｄ送信及び／又はＤ２Ｄ受信に興味がある周波数を含むＤ２Ｄ興味通知をサービングセルに送信する。或いは、Ｄ２Ｄ興味通知は、Ｄ２Ｄ送信のリソース要求を含んでもよい。Ｄ２Ｄ通信に利用可能な周波数は、ＵＩＣＣ１３０に記憶されている。このようなＤ２Ｄ興味通知を受信したサービングセル（ｅＮＢ２００）は、Ｄ２Ｄ通信に利用可能な周波数に属するセルに対してＵＥ１００をハンドオーバする。
【０１２１】
サービングセルがＤ２Ｄ興味通知の受信をサポートしていない場合（ステップＳ４２０；ＮＯ）、ステップＳ４４０において、ＵＥ１００は、サービングセルとのＲＲＣ接続を解放する制御を行う。
【０１２２】
具体的には、ＡＳエンティティ１００Ａは、ＲＲＣ接続を解放し、ＲＲＣ接続を解放したことをＮＡＳエンティティ１００Ｂに通知する。この場合、ＲＲＣ接続を解放する処理をＡＳエンティティ１００Ａが行う。
【０１２３】
或いは、ＡＳエンティティ１００Ａは、ＲＲＣ接続を解放するための処理をＮＡＳエンティティ１００Ｂに要求する。この場合、ＲＲＣ接続を解放する処理をＮＡＳエンティティ１００Ｂが行う。
【０１２４】
このような要求には、理由（cause）として、「ProSe interest but non-support eNB」のような情報を含めてもよい。ＮＡＳエンティティ１００Ｂは、同様の理由（cause）をＭＭＥ３００に通知してもよい。ＭＭＥ３００は、当該理由（cause）の場合、ｅＮＢ２００に対して、Ｓ１−ＭＭＥコネクション及び／又はＥ−ＲＡＢを解放することを要求する。
【０１２５】
ステップＳ４５０において、ＵＥ１００は、ＲＲＣ接続を解放し、アイドルモードに遷移する。アイドルモードに遷移したＵＥ１００は、第２実施形態及び第３実施形態に係る動作を行う。
【０１２６】
このように、第４実施形態によれば、サービングセルがＤ２Ｄ興味通知の受信をサポートしていない場合でも、ＲＲＣ接続を解放することにより、Ｄ２Ｄ通信に利用可能な周波数に属するセルを選択することが可能となる。
【０１２７】
［第５実施形態］
次に、第５実施形態について、第１実施形態乃至第４実施形態との相違点を主として説明する。第５実施形態に係るシステム構成及びセル選択／再選択の基本動作は、第１実施形態と同様である。
【０１２８】
第５実施形態では、Ｄ２Ｄ発見手続及びＤ２Ｄ通信を含むＤ２Ｄ近傍サービスをサポートするＵＥ１００が、アイドルモードにおいてＤ２Ｄ発見手続及びＤ２Ｄ通信の両方に興味を持つ場合を想定する。
【０１２９】
図１２は、第５実施形態に係るＵＥ１００の動作を示す図である。図１２おいて、ＵＥ１００はアイドルモードであると仮定する。
【０１３０】
図１２に示すように、ステップＳ５１０において、ＵＥ１００は、Ｄ２Ｄ発見手続及び／又はＤ２Ｄ通信に興味を持つか否かを判断する。Ｄ２Ｄ発見手続及びＤ２Ｄ通信の両方に興味を持つ場合、処理がステップＳ５２０に進む。Ｄ２Ｄ発見手続にのみ興味を持つ場合、ＵＥ１００は、第１実施形態に係る動作を行ってもよい。Ｄ２Ｄ通信にのみ興味を持つ場合、ＵＥ１００は、第２実施形態及び第３実施形態に係る動作を行ってもよい。
【０１３１】
Ｄ２Ｄ発見手続及びＤ２Ｄ通信の両方に興味を持つ場合、ステップＳ５２０において、ＵＥ１００は、Ｄ２Ｄ発見手続及びＤ２Ｄ通信の両方に利用可能な周波数が存在するか否かを判断する。例えば、Ｄ２Ｄ発見手続に利用可能な周波数は、ＳＩＢ１９に含まれる周波数リストにより把握可能である。Ｄ２Ｄ通信に利用可能な周波数は、ＵＩＣＣ１３０に記憶されている。ＵＥ１００は、Ｄ２Ｄ発見手続に利用可能な複数の周波数及びＤ２Ｄ発見手続に利用可能な周波数を比較し、一致する周波数が存在するか否かを判断する。
【０１３２】
一致する周波数が存在する場合（ステップＳ５２０；ＹＥＳ）、ステップＳ５３０において、ＵＥ１００は、当該一致する周波数をセル選択／再選択における最高優先度の周波数として設定する。
【０１３３】
これに対し、一致する周波数が存在しない場合（ステップＳ５２０；ＮＯ）、ステップＳ５４０において、ＵＥ１００は、優先順位に応じて、Ｄ２Ｄ発見手続に利用可能な周波数及びＤ２Ｄ通信に利用可能な周波数のうち何れかを最高優先度の周波数として設定する。
【０１３４】
ここで、優先順位は、セル固有参照信号の測定値（受信電力、受信品質）に基づく。例えば、当該測定値が、良い方(値が高い方)の周波数を選択する。或いは、当該測定値が、悪い方(値が低い方)の周波数を選択する。測定値が悪い場合、ｅＮＢ２００から遠いと見なせるため、上りリンクのセルラ通信への干渉を低減できる。
【０１３５】
或いは、優先順位は、ＮＡＳエンティティ１００ＢからＡＳエンティティ１００Ａへの指示に基づく。例えば、ＮＡＳエンティティ１００Ｂは、用途別優先度（例えば、Ｄ２Ｄ通信よりもＤ２Ｄ発見手続を優先する）をＡＳエンティティ１００Ａに指示する。
【０１３６】
このように、第５実施形態によれば、Ｄ２Ｄ発見手続及びＤ２Ｄ通信の両方を考慮したセル選択／再選択を行うことが可能となる。
【０１３７】
［第６実施形態］
次に、第６実施形態について、第１実施形態乃至第５実施形態との相違点を主として説明する。第６実施形態に係るシステム構成及びセル選択／再選択の基本動作は、第１実施形態と同様である。
【０１３８】
第６実施形態では、Ｄ２Ｄ近傍サービスに利用可能な周波数が複数存在する場合に、複数の周波数の中から何れかの周波数を優先する動作について説明する。
【０１３９】
図１３は、第６実施形態に係るＵＥ１００の動作を示す図である。ここでは、Ｄ２Ｄ発見手続を例に挙げて説明するが、Ｄ２Ｄ発見手続をＤ２Ｄ通信と読み替えてもよい。図１３において、ＵＥ１００がアイドルモードであり、Ｄ２Ｄ発見手続に興味を持っていると仮定する。
【０１４０】
図１３に示すように、ステップＳ６１０において、ＵＥ１００は、Ｄ２Ｄ発見手続に利用可能な複数の周波数のそれぞれについて、Ｄ２Ｄ発見リソースプールの情報を取得する。Ｄ２Ｄ発見リソースプールとは、各周波数内でＤ２Ｄ発見手続に利用可能な時間・周波数リソース（Ｄ２Ｄ無線リソース）である。かかる情報は、例えばＳＩＢ１９により把握することができる。そして、ＵＥ１００は、Ｄ２Ｄ発見手続に利用可能な各周波数のＤ２Ｄ発見リソースプールの量を比較する。Ｄ２Ｄ発見リソースプールの量とは、例えば、ある期間内における、Ｄ２Ｄ無線リソースを構成するリソースエレメントの数である。
【０１４１】
ステップＳ６２０において、ＵＥ１００は、Ｄ２Ｄ発見手続に利用可能な複数の周波数のうち、Ｄ２Ｄ発見リソースプールの量が最も多い周波数を選出する。そして、ＵＥ１００は、選出した周波数をセル選択／再選択において優先する周波数として設定する。例えば、ＵＥ１００は、選出した周波数を最高優先度の周波数として設定する。
【０１４２】
このように、第６実施形態によれば、ＵＥ１００は、Ｄ２Ｄ発見リソースプールの量が最も多い周波数に属するセルにセル選択／再選択を行うことができるため、Ｄ２Ｄ発見手続の成功率の向上を図ることが可能となる。
【０１４３】
［第７実施形態］
次に、第７実施形態について、第１実施形態乃至第６実施形態との相違点を主として説明する。第７実施形態に係るシステム構成及びセル選択／再選択の基本動作は、第１実施形態と同様である。
【０１４４】
上述した第１実施形態乃至第６実施形態において、ＵＥ１００がＤ２Ｄ近傍サービス（Ｄ２Ｄ発見手続、Ｄ２Ｄ通信）に興味を持つ場合のセル選択／再選択及びＰＬＭＮ選択における特別な選択規則について主として説明した。特別な選択規則は、Ｄ２Ｄ近傍サービスに利用可能な周波数及び／又はＰＬＭＮに属するセルを適切なセルとして優先的に選択する選択規則である。
【０１４５】
また、第１実施形態において、一般的な選択規則（第１の選択規則）と特別な選択規則（第２の選択規則）との何れかをｅＮＢ２００がＵＥ１００に指定する動作について説明した。但し、第１実施形態においては、Ｄ２Ｄ近傍サービスが公安（Ｐｕｂｌｉｃ  ｓａｆｅｔｙ）の用途で利用されるか否かについて特に触れていなかった。これに対し、第７実施形態は、Ｄ２Ｄ近傍サービスが公安の用途で利用され得ることに着目した実施形態である。但し、Ｄ２Ｄ近傍サービスは、商用（Ｃｏｍｍｅｒｃｉａｌ）の用途で利用されてもよい。
【０１４６】
第７実施形態において、Ｄ２Ｄ近傍サービスに興味を持つＵＥ１００は、Ｄ２Ｄ近傍サービスに自ＵＥ１００が興味を持つことを示すＤ２Ｄ興味通知をｅＮＢ２００に送信する。ＵＥ１００は、公安の用途でのＤ２Ｄ近傍サービスに興味を持つ場合に、Ｄ２Ｄ興味通知をｅＮＢ２００に送信してもよい。
【０１４７】
ｅＮＢ２００は、Ｄ２Ｄ興味通知をＵＥ１００から受信する。ｅＮＢ２００は、Ｄ２Ｄ興味通知の受信に応じて、設定情報（ｐＳ−ＰｒｏＳｅ）を含むＲＲＣ接続解放通知をＵＥ１００に送信する。ｅＮＢ２００がＵＥ１００に送信する設定情報（ｐＳ−ＰｒｏＳｅ）は、第２の選択規則を指定する情報である。当該設定情報は、ＵＥ１００とｅＮＢ２００との間のＲＲＣ接続を解放することを示すＲＲＣ接続解放通知（ＲＲＣ  Ｃｏｎｎｅｃｔｉｏｎ  Ｒｅｌｅａｓｅメッセージ）に含まれている。例えば、ＲＲＣ接続解放通知に含まれる「ｒｅｌｅａｓｅＣａｕｓｅ」情報要素に、当該ＲＲＣ接続解放が公安用途の特別な選択規則（第２の選択規則）を用いる事を明示的に示す識別子（ｐＳ−ＰｒｏＳｅ）を含める。
【０１４８】
或いは、ｅＮＢ２００は、ＵＥ１００に対してＲＲＭ測定設定を行ってもよく、その結果、Ｄ２Ｄ興味通知で通知された周波数において適切なセルが観測されなかった場合に、ＲＲＣ接続解放を行うとしてもよい。
【０１４９】
ＵＥ１００は、設定情報（ｐＳ−ＰｒｏＳｅ）を含むＲＲＣ接続解放通知をｅＮＢ２００から受信する。ＵＥ１００は、ＲＲＣ接続解放通知に含まれる設定情報（ｐＳ−ＰｒｏＳｅ）の受信に応じて、ＲＲＣ接続を解放し、第１実施形態乃至第６実施形態に係る特別な選択規則（第２の選択規則）に従ってセル選択／再選択（及び／又はＰＬＭＮ選択）を行う。
【０１５０】
なお、設定情報（ｐＳ−ＰｒｏＳｅ）を受信したＡＳエンティティ１００Ａ（ＲＲＣ層）は、当該設定情報の内容をＮＡＳエンティティ１００Ｂに通知する。ＮＡＳエンティティ１００Ｂは、当該設定情報に基づいて、公安の用途でのＤ２Ｄ近傍サービスに利用可能なＰＬＭＮを選択するためのＰＬＭＮ選択又は再選択を行う。公安の用途でのＤ２Ｄ近傍サービスに利用可能なＰＬＭＮに関する情報（ＰＬＭＮ  ＩＤ、周波数など）は、ＵＩＣＣ１３０に事前設定されている。ＮＡＳエンティティ１００Ｂは、事前設定されたＰＬＭＮ  ＩＤを選択する。
【０１５１】
ｅＮＢ２００（サービングセル）は、公安用途でのＤ２Ｄ近傍サービスに利用可能な周波数（Ｐｕｂｌｉｃ  ｓａｆｅｔｙキャリア）へのＰＬＭＮ間ハンドオーバをサポートしているとは限らない。よって、第７実施形態によれば、ＵＥ１００が自ら特別なセル選択／再選択（及び／又はＰＬＭＮ選択）を行うことにより、より確実に、公安用途でのＤ２Ｄ近傍サービスに利用可能な周波数に属するセルに移行することができる。
【０１５２】
［第８実施形態］
次に、第８実施形態について、第１実施形態乃至第７実施形態との相違点を主として説明する。第８実施形態に係るシステム構成及びセル選択／再選択の基本動作は、第１実施形態と同様である。
【０１５３】
上述した第１実施形態では、Ｄ２Ｄ近傍サービスに関するシステム情報（ＳＩＢ１９）が、自セル（サービングセル）においてＤ２Ｄ発見信号の伝送に使用されるＤ２Ｄ発見リソースプールを示すリソースプール情報と、自セルの周波数とは異なる他の周波数であって、Ｄ２Ｄ発見手続に利用可能な周波数を示す周波数リストと、を含む一例について説明した。
【０１５４】
ここで、Ｄ２Ｄ近傍サービスに関するシステム情報（ＳＩＢ１９）は、Ｄ２Ｄ発見手続に関するリソースプール情報及び周波数リストだけでなく、Ｄ２Ｄ通信に関するリソースプール情報及び周波数リストを含んでもよい。
【０１５５】
しかしながら、現状、Ｄ２Ｄ近傍サービスに関するシステム情報（ＳＩＢ１９）は、どの周波数がどの用途で利用可能であるかを示す情報を含んでいないため、システム情報（ＳＩＢ１９）に基づいてどの周波数がどの用途で利用可能であるかを把握することは困難である。
【０１５６】
そこで、第８実施形態においては、Ｄ２Ｄ近傍サービスに関するシステム情報（ＳＩＢ１９）に含まれる周波数リストは、周波数の識別子に加えて、当該識別子と関連付けられた用途識別子を含む。これにより、システム情報（ＳＩＢ１９）に基づいてどの周波数がどの用途で利用可能であるかを容易に把握することが可能である。
【０１５７】
第８実施形態において、ＵＥ１００は、Ｄ２Ｄ近傍サービスに利用可能な周波数のリスト（周波数リスト）をｅＮＢ２００から受信する。また、ＵＥ１００は、当該リストに基づいて、アイドルモードにおけるセル選択及び／又はセル再選択を制御する。
【０１５８】
上述したように、Ｄ２Ｄ近傍サービスは、公安の用途、又は公安以外の用途（例えば商用の用途）で利用される。
【０１５９】
第８実施形態において、周波数リストは、周波数の識別子と関連付けられた用途識別子を含む。周波数の識別子は、例えばＥＡＲＦＣＮ（Ｅ−ＵＴＲＡ  Ａｂｓｏｌｕｔｅ  Ｒａｄｉｏ−Ｆｒｅｑｕｅｎｃｙ  Ｃｈａｎｎｅｌ  Ｎｕｍｂｅｒ）である。用途識別子は、周波数が公安の用途で利用可能であるか否かを識別するための識別子（例えば、Ｐｕｂｌｉｃ  ｓａｆｅｔｙ  ＩＤ）である。
【０１６０】
ＵＥ１００は、アイドルモードにおいて、公安の用途でのＤ２Ｄ近傍サービスに自ＵＥ１００が興味を持つ場合に、用途識別子に基づいて、公安の用途で利用可能な周波数を最高優先度の周波数として設定する。換言すると、ＵＥ１００は、セル選択／再選択において、公安の用途で利用可能な周波数に属するセルを優先的に選択する。
【０１６１】
公安の用途でのＤ２Ｄ近傍サービスにＵＥ１００が興味を持つか否かは、以下のような動作により判別可能である。上述したように、ＵＥ１００は、セル選択及び／又はセル再選択を行うＡＳエンティティ１００Ａと、ＡＳエンティティよりも上位の層に位置付けられる上位エンティティ（ＮＡＳエンティティ１００Ｂ、アプリケーション層など）と、を含む。ＡＳエンティティ１００Ａは、Ｄ２Ｄ近傍サービスの実行要求を上位エンティティから受け取る。当該実行要求は、実行を要求するＤ２Ｄ近傍サービスの用途を示す識別子（例えば、Ｐｕｂｌｉｃ  ｓａｆｅｔｙ  ＩＤ、Ｃｏｍｍｅｒｃｉａｌ  ＩＤ）を含む。
【０１６２】
また、周波数リストは、周波数の識別子と関連付けられたＰＬＭＮ識別子をさらに含む。ＰＬＭＮ識別子は、当該周波数が属するＰＬＭＮを識別するための識別子である。ＵＥ１００は、アイドルモードにおいて、公安の用途でのＤ２Ｄ近傍サービスに自ＵＥ１００が興味を持つ場合に、用途識別子及びＰＬＭＮ識別子に基づいて、公安の用途で利用可能な周波数が属するＰＬＭＮを優先的に選択する。
【０１６３】
［第９実施形態］
次に、第９実施形態について、第１実施形態乃至第７実施形態との相違点を主として説明する。第９実施形態に係るシステム構成及びセル選択／再選択の基本動作は、第１実施形態と同様である。
【０１６４】
第９実施形態は、システム情報（ＳＩＢ１９）に基づいてどの周波数がどの用途で利用可能であるかを把握可能とする点において第８実施形態と共通する。しかしながら、第８実施形態において、システム情報（ＳＩＢ１９）中の周波数リストは、周波数の識別子と関連付けられた用途識別子を含んでいない。その代わりに、リソースプール情報について、対応するＤ２Ｄリソースプールが用途識別子と関連付けられる。
【０１６５】
第９実施形態において、ＵＥ１００は、複数の周波数のそれぞれにおいて送信されるリソースプール情報を受信する。詳細には、ＵＥ１００は、異なる周波数に属する複数のセルのそれぞれのシステム情報（ＳＩＢ１９）を受信することにより、複数の周波数のそれぞれのリソースプール情報を取得する。
【０１６６】
第９実施形態において、リソースプール情報は、対応する周波数のＤ２Ｄリソースプールと関連付けられた用途識別子を含む。用途識別子は、Ｄ２Ｄリソースプールが公安の用途で利用可能であるか否かを識別するための識別子（例えば、Ｐｕｂｌｉｃ  ｓａｆｅｔｙ  ＩＤ、Ｃｏｍｍｅｒｃｉａｌ  ＩＤ）である。
【０１６７】
ＵＥ１００は、用途識別子に基づいて、複数の周波数のそれぞれについて公安の用途で利用可能であるか否かを判断する。詳細には、ＵＥ１００は、ある周波数Ａのリソースプール情報に、公安の用途で利用可能であることを示す用途識別子が含まれている場合に、当該周波数Ａが公安の用途で利用可能であると判断する。このような処理を他の周波数Ｂ，Ｃ，…のそれぞれについて行い、公安の用途で利用可能な周波数を判別する。
【０１６８】
その後の動作については、第８実施形態と同様である。ＵＥ１００は、アイドルモードにおいて、公安の用途でのＤ２Ｄ近傍サービスに自ＵＥ１００が興味を持つ場合に、公安の用途で利用可能であると判断された周波数に属するセルを優先的に選択する。
【０１６９】
［第１０実施形態］
次に、第１０実施形態について、第１実施形態乃至第９実施形態との相違点を主として説明する。第１０実施形態に係るシステム構成は、第１実施形態と同様である。
【０１７０】
第１実施形態乃至第９実施形態において、Ｄ２Ｄ近傍サービスに関するシステム情報（ＳＩＢ１９）とＤ２Ｄ興味通知に含めるべき情報との関係性について特に触れていなかった。第１０実施形態においては、当該関係性について説明する。
【０１７１】
第１０実施形態において、ｅＮＢ２００は、Ｄ２Ｄ近傍サービスに利用可能な周波数のリストをＵＥ１００に送信する。ＵＥ１００は、当該リストをｅＮＢ２００（サービングセル）から受信する。当該周波数リストは、Ｄ２Ｄ発見手続における受信（監視）に利用可能な周波数のリストであってもよい。
【０１７２】
ＵＥ１００は、特定の周波数におけるＤ２Ｄ近傍サービスに自ＵＥ１００が興味を持つ場合であって、且つ、周波数リストに当該特定の周波数が含まれていない場合に、当該特定の周波数を自ＵＥ１００が興味を持つ周波数としてｅＮＢ２００に通知する。詳細には、ＵＥ１００は、当該特定の周波数の識別子をＤ２Ｄ興味通知に含めてｅＮＢ２００に送信する。換言すると、ＵＥ１００は、周波数リストに含まれていない周波数のみをＤ２Ｄ興味通知によりｅＮＢ２００通知する。
【０１７３】
また、Ｄ２Ｄ興味通知は、当該特定の周波数の識別子に加えて、Ｄ２Ｄ近傍サービス（例えば、Ｄ２Ｄ発見手続における受信）をｅＮＢ２００との通信（セルラ通信における受信）よりも優先するか否かを示す情報を含んでもよい。
【０１７４】
第１０実施形態において、ｅＮＢ２００は、特定の周波数におけるＤ２Ｄ近傍サービスにＵＥ１００が興味を持つことを示す通知（Ｄ２Ｄ興味通知）をＵＥ１００から受信する。ｅＮＢ２００は、送信した周波数リストに当該特定の周波数が含まれていない場合に、ＵＥ１００がセルラ通信よりもＤ２Ｄ発見手続に興味があると判断し、ＵＥ１００に対する所定の制御を行う。
【０１７５】
所定の制御は、ＵＥ１００と自ｅＮＢ２００との間のＲＲＣ接続を解放する制御である。これにより、ＵＥ１００は、第１実施形態乃至第６実施形態に係る特別な選択規則を適用して、セル選択／再選択、ＰＬＭＮ選択を行うことができる。これにより、ＵＥ１００は特定の周波数に属するセルを選択し、特定の周波数においてＤ２Ｄ近傍サービス（例えば、Ｄ２Ｄ発見手続における受信）を利用することができる。
【０１７６】
或いは、所定の制御は、ＵＥ１００が自ｅＮＢ２００からの受信を行うべき時間間隔を延長する制御である。詳細には、ＵＥ１００が間欠受信（ＤＲＸ）を設定している場合に、ＤＲＸサイクルの設定値を長くする。これにより、ＵＥ１００がｅＮＢ２００からの制御信号を受信（監視）するオン期間の時間間隔が長くなる。すなわち、オフ期間が長くなる。よって、オフ期間においてはＤ２Ｄ発見信号の監視が可能であるため、Ｄ２Ｄ発見信号の監視機会を十分に確保し、Ｄ２Ｄ発見手続の成功率を高めることができる。
【０１７７】
［第１１実施形態］
次に、第１１実施形態について、第１実施形態乃至第１０実施形態との相違点を主として説明する。第１１実施形態に係るシステム構成は、第１実施形態と同様である。
【０１７８】
第１実施形態乃至第１０実施形態において、ＵＥ１００が、１つの送信機及び１つの受信機のみを含むケースを主として想定していた。また、１つのＵＥ１００が複数のセルとの同時通信を行うキャリアアグリゲーション、及び１つのＵＥ１００が複数のｅＮＢ２００との同時通信を行う二重接続（Ｄｕａｌ  ｃｏｎｎｅｃｔｉｖｉｔｙ）について特に触れなかった。
【０１７９】
第１１実施形態においては、ＵＥ１００が、複数の送信機及び／又は複数の受信機を含むケースを想定する。このようなケースでは、ＵＥ１００は、一部の送受信機によりＤ２Ｄ近傍サービスを利用しながら、残りの送受信機により二重接続を利用し得る。しかしながら、３ＧＰＰにおいて、Ｄ２Ｄ近傍サービスと二重接続との併用が禁止されることが合意されている。このため、Ｄ２Ｄ近傍サービスと二重接続との併用を防止する仕組みの実現が望まれる。
【０１８０】
第１１実施形態において、ＵＥ１００は、無線信号の送信及び／又は受信を行うための複数の送受信機と、制御部（プロセッサ１６０）とを備える。詳細には、無線送受信機１１０は、複数の送受信機を含む。
【０１８１】
複数の送受信機は、サービングセル（セルＡ）との通信を行う第１の送受信機と、サービングセルとは異なる他セル（セルＢ）の配下でＤ２Ｄ近傍サービスを利用する第２の送受信機と、を含む。セルＡ及びセルＢは異なる周波数に属していてもよい。
【０１８２】
ＵＥ１００は、第１の送受信機がサービングセル（セルＡ）との通信を行っているものの、他の送受信機が他セル（セルＸ）との通信を行っていない。すなわち、セルラ通信は単一セル通信の状態である。ＵＥ１００は、サービングセル（セルＡ）のＰＤＣＣＨを第１の送受信機により監視しつつ、他セルのＵＥから送信されるＤ２Ｄ信号を第２の送受信機により監視することができる。或いは、ＵＥ１００は、サービングセル（セルＡ）への上りリンク信号を第１の送受信機により送信しつつ、他セルのＵＥへのＤ２Ｄ信号を第２の送受信機により送信することができる。
【０１８３】
ＵＥ１００は、第１の送受信機を介して、他セル（セルＢ）に関する情報をサービングセル（セルＡ）に通知する。他セル（セルＢ）に関する情報は、当該他セルのセル識別子、当該他セルが属する周波数、当該他セルの数のうち、少なくとも１つを含む。
【０１８４】
第１１実施形態において、ｅＮＢ２００は、複数の送受信機を備えるＵＥ１００のサービングセル（セルＡ）を管理する。ｅＮＢ２００は、当該サービングセルとは異なる他セル（セルＢ）の配下でＵＥ１００がＤ２Ｄ近傍サービスを利用する場合に、当該他セルに関する情報をＵＥ１００から受信する。ｅＮＢ２００は、当該他セルに関する情報に基づいて、当該他セルをＵＥ１００のセカンダリセルとして設定しないよう制御する。詳細には、ｅＮＢ２００は、ＵＥ１００から通知されたセル識別子に対応するセル（セルＢ）が自ｅＮＢ２００とは異なるｅＮＢのセルである場合、当該セルをセカンダリセルとして設定しない。或いは、ｅＮＢ２００は、ＵＥ１００から通知された周波数が自ｅＮＢ２００の運用周波数とは異なる周波数である場合、当該周波数に属するセルをセカンダリセルとして設定しない。これにより、ｅＮＢ２００は、Ｄ２Ｄ近傍サービスと二重接続との併用を防止することができる。
【０１８５】
また、ｅＮＢ２００は、当該他セルの数、すなわち、ＵＥ１００がＤ２Ｄ近傍サービスを利用するセルの数に基づいて、あと何個のセカンダリセルを設定できるかを判断することができる。
【０１８６】
或いは、ＵＥ１００が過負荷にならないよう、Ｄ２Ｄ近傍サービスとキャリアアグリゲーションの併用を防止するよう制御してもよい。この場合、ｅＮＢ２００は、ＵＥ１００から通知されたセル識別子に対応するセル（セルＢ）をセカンダリセルとして設定しない。或いは、ｅＮＢ２００は、ＵＥ１００から通知された周波数に属するセルをセカンダリセルとして設定しない。
【０１８７】
［その他の実施形態］
上述した第１実施形態乃至第６実施形態は、別個独立に実施するのではなく、２以上の実施形態を組み合わせて実施してもよい。
【０１８８】
上述した実施形態では、Ｄ２Ｄ近傍サービスに関するＳＩＢがＳＩＢ１９である一例を説明した。しかしながら、Ｄ２Ｄ近傍サービスに関する情報がＳＩＢ１９以外のＳＩＢ（ＳＩＢｘ）により運搬されてもよい。
【０１８９】
上述した第１実施形態乃至第６実施形態は、ＵＥ１００が１つの受信機及び１つの送信機を備える一例を説明したが、ＵＥ１００が複数の受信機及び／又は複数の送信機を備えていてもよい。
【０１９０】
上述した第１実施形態に係る動作は、Ｄ２Ｄ近傍サービスのうちＤ２Ｄ発見手続に適用される動作であると説明した。しかしながら、上述した第１実施形態に係る動作は、Ｄ２Ｄ近傍サービスのうちＤ２Ｄ通信に応用してもよい。この場合、第１実施形態に係る動作における「Ｄ２Ｄ発見手続」を「Ｄ２Ｄ通信」と読み替えればよい。
【０１９１】
上述した第２実施形態乃至第４実施形態に係る動作は、Ｄ２Ｄ近傍サービスのうちＤ２Ｄ通信に適用される動作であると説明した。しかしながら、上述した第２実施形態乃至第４実施形態は、Ｄ２Ｄ近傍サービスのうちＤ２Ｄ発見手続に応用してもよい。この場合、第２実施形態乃至第４実施形態に係る動作における「Ｄ２Ｄ通信」を「Ｄ２Ｄ発見手続」と読み替えればよい。
【０１９２】
上述した各実施形態では、移動通信システムの一例としてＬＴＥシステムを説明したが、ＬＴＥシステムに限定されるものではなく、ＬＴＥシステム以外のシステムに本発明を適用してもよい。
【０１９３】
［付記１］
１．はじめに
マルチキャリアにおいてＰｒｏＳｅディスカバリーをサポートすることに関する問題が識別され、合意に達したが、負荷分散の観点はまだ議論されていない。
【０１９４】
サービングキャリア以外のキャリアでのディスカバリー送信をサポートすべきか？サポートすべきでない場合、（ＵＥが共通ＰｒｏＳｅキャリアを再選択する場合）負荷分散、又は（ＵＥがいくつかのキャリア上のビーコンをモニタリングすることになっている場合）バッテリ消費への影響があるか？
【０１９５】
合意事項
１  モニタリングＵＥのためのインター周波数及びインターＰＬＭＮディスカバリーのサポートが意図される。  [...]
３  （ＮＷによって認可されている場合、）ＵＥは、自身のサービングセル上でのみＰｒｏＳｅディスカバリー信号を送信する。
【０１９６】
４  イントラ及びインター周波数（及びインターＰＬＭＮ）ＰｒｏＳｅ受信はＵｕ受信に影響を与えない（例えば、ＵＥは、ＰｒｏＳｅディスカバリー受信を行うために、アイドル及びコネクティッドにおけるＤＲＸ機会を使用するか、又は使用可能な場合には第２のＲＸチェーンを使用する）。ＵＥは、自律的なギャップを生成してはならない。ＵＥがインター周波数セルのＳＩＢからＰｒｏＳｅディスカバリー（２ａ）設定を取得するべきである場合、これはサービングセルのＵＥのＵｕ受信に影響を与えない。  [...]
【０１９７】
ＰｒｏＳｅ通信に関しては、マルチキャリア動作も議論され、プロシージャの概要が合意された。
【０１９８】
合意事項（ＰｒｏＳｅ通信）  [...]
２  コネクティッドＵＥは、ＰｒｏＳｅ通信を行うことを望む場合、サービングセルにＰｒｏＳｅインディケーション（ProSe indication）を送信する。インディケーションには、意図されるＰｒｏＳｅ周波数が含まれている。
【０１９９】
３  サービングセルは、ＰｒｏＳｅのキャリアのインター周波数ＲＲＭ測定を設定し、ＵＥがＰｒｏＳｅキャリアのセルのカバレッジに入ると、測定報告に基づいて、そのＰｒｏＳｅキャリアにインター周波数モビリティをトリガすることができる。
【０２００】
４  アイドルＵＥは、ＰｒｏＳｅキャリアで適切なセルを検出すると、そのＰｒｏＳｅキャリアを再選択することができる。  [...]
【０２０１】
６  Ｒｅｌ−１２については、ＵＥに事前設定により知られている単一のキャリア上ですべての（ＵＥのための）ＰｒｏＳｅ通信が行われることを想定する。
【０２０２】
本付記では、Ｒｅｌ−１２においてマルチキャリア動作をサポートするために、アイドルＵＥのための更なる詳細を検討する。
【０２０３】
２．アイドルのＵＥの作業仮定
ＭＢＭＳの場合において、ＵＥが単一の受信機を有する場合、興味のあるＭＢＭＳサービスを提供するセルにＵＥがキャンプすることが想定される。一方、ディスカバリーモニタリングについては、合意事項４、すなわち「イントラ及びインター周波数（及びインターＰＬＭＮ）ＰｒｏＳｅ受信はＵｕ受信に影響を与えない（例えば、ＵＥは、ＰｒｏＳｅディスカバリー受信を行うために、アイドル及びコネクティッドにおけるＤＲＸ機会を使用するか、又は使用可能な場合には第２のＲＸチェーンを使用する）。ＵＥは、自律的なギャップを生成してはならない。」に従って、ＵＥは必ずしもＰｒｏＳｅディスカバリーをサポートするセルにキャンプしなくてもよい。これは、ＣＲＳを使用する既存のインター周波数測定の場合と同様である。
【０２０４】
確認１：インター周波数（及びインターＰＬＭＮ）ディスカバリーに興味のあるＵＥは、ＰｒｏＳｅディスカバリーをサポートするセルにキャンプすることが要求されない。
【０２０５】
図１４は、セル再選択をしないディスカバリーモニタリングを示す。
【０２０６】
ＰｒｏＳｅ通信の受信に関しては、ディスカバリーと同じと仮定して取り扱うことができる。しかしながら、Ｒｅｌ−１２は、ＵＥに事前設定により知られている単一のキャリア上で（ＵＥの）すべてのＰｒｏＳｅ通信が行われることを想定すると合意されている。また、通信のＰｒｏＳｅインディケーションについて、現在の合意では送信と受信との間で区別がない。よって、Ｒｅｌ−１２において、ＰｒｏＳｅ通信の送信及び受信は分離されるべきではない、すなわち、送信と受信とにかかわらずＵＥはＰｒｏＳｅ通信用のキャリアに同調（tune）すべきである。よって、ＵＥは、ＰｒｏＳｅ通信の受信用のキャリアにもキャンプすべきである。
【０２０７】
考察１：ＰｒｏＳｅ通信の受信のために、ＵＥは、ＰｒｏＳｅ通信をサポートするセルにキャンプすべきである。
【０２０８】
３．セル再選択中の優先度の取り扱い
ＲＲＣコネクティッドのＵＥについて、非ＰｒｏＳｅサポートセルを含むインター周波数セル間の負荷分散は、ＰｒｏＳｅインディケーションに基づくハンドオーバを用いて最適化することができる。しかしながら、ディスカバリーモニタリング又は通信に興味を持つＵＥを収容するために既存の再選択手順及び優先度を変更すべきか否か明らかではない。特に、負荷分散のための専用シグナリング又はＳＩＢ５で提供されるCellReselectionPriorityにより、セル再選択優先度が明確にＵＥに設定されるので、再選択手順及び優先度の変更は慎重に検討されるべきである。
【０２０９】
ＭＢＭＳの再選択優先度の場合のように、もはやＰｒｏＳｅディスカバリー及び通信に興味の無いＵＥは、ｅＮＢによって設定された既存の再選択優先度に従うべきである。
【０２１０】
考察２：もはやＰｒｏＳｅディスカバリー又はＰｒｏＳｅ通信に興味の無いアイドルＵＥは、セル再選択優先度の既存のルールに従うべきである。
【０２１１】
３．１．ＰｒｏＳｅディスカバリーのための優先度付け
指摘されているように、アイドルのＵＥは、ＵＥがＰｒｏＳｅディスカバリーに興味がある場合、ＰｒｏＳｅディスカバリーを既存のセル再選択プロシージャよりも優先することが許容されるかを検討すべきである。インター周波数セルがサービングセルと同期していない場合、既存のＤＲＸ機会が他の周波数でのディスカバリーモニタリングに十分であるかを検討すべきである。ＰｒｏＳｅディスカバリーモニタリングに興味のあるＵＥがＰｒｏＳｅディスカバリーアナウンスにも興味がある傾向にあると想定する場合、アナウンスの直前に再選択を行うことを避けるために、ＳＩＢ１９に記載されているキャリア上で動作するセルにＵＥがキャンプすることは好ましい。いくつかのネットワークデプロイメントにおいてＵＥがディスカバリーモニタリングのみに興味がある場合、セル再選択の際にＳＩＢ１９に記載されているキャリアを優先度する決定的な理由はないと思われる。よって、ネットワークは、セル再選択時のＰｒｏＳｅキャリアの優先が本当に必要かどうかを決定するための手段を持つべきである。一つのアプローチは、ＵＥがディスカバリーのために既存のセル再選択ルール又は新たな再選択ルールを適用すべきかをｅＮＢがＳＩＢ１９又は専用シグナリングで示すことを可能とすることである。新たな再選択ルールは、既存のセル再選択ルールの拡張、すなわち、ＳＩＢ５中のCellReselectionPriorityと、ＳＩＢ１９又は専用シグナリングにおけるディスカバリーのための新しいCellReselectionPriorityと、の組み合わせであってもよい。
【０２１２】
提案１：ｅＮＢは、ＵＥが既存のセル再選択ルールに従う必要があるか、再選択についてＰｒｏＳｅディスカバリー優先することがＵＥに許容されるかを、ＳＩＢ１９又は専用シグナリングで示すべきである。
【０２１３】
３.２．ＰｒｏＳｅ通信のための優先度付け
ＰｒｏＳｅ通信では、アイドルＵＥは、適切なセルを検出するとＰｒｏＳｅのキャリアを再選択することができると合意されたので、ＰｒｏＳｅ通信のための再選択の優先度は既に決定されている。ＵＥがＰｒｏＳｅ通信に興味を持っている場合の優先度の取り扱いの明確化が提供され、議論は２つのオプションに纏めることができると思われる。
【０２１４】
・オプション１：既存のセル再選択基準にパラメータ、すなわち、ThreshX, HighP、ThreshX, LowPに類似したものを追加する。
【０２１５】
・オプション２：既存のＭＢＭＳルールを再利用することで、ＵＥはＰｒｏＳｅ通信周波数を最も優先度の高い周波数とみなすことが許容される。
【０２１６】
オプション１は、ネットワークが高精度でアイドルＵＥを制御することを許容し得る。オプション２は、単にＵＥの実装に基づいてＵＥがＰｒｏＳｅ通信を優先することを許容する。Ｒｅｌ−１２が公安用途に重点をおいていることを考慮すると、ＵＥは、他のサービスよりもＰｒｏＳｅ通信を優先することが許容されるべきである。従って、オプション２は、ベースラインとして好適である。
【０２１７】
提案２：ＵＥは、再選択時にＰｒｏＳｅ通信周波数を最も優先度が高い周波数として優先することが許容されるべきである。
【０２１８】
提案２における新しい規則は、事前設定された周波数、すなわち、カバレッジ外シナリオにおいてＵＩＣＣにより提供される周波数に適用可能であるべきである。この方法では、ＰｒｏＳｅ通信のための再選択優先度は、将来的には公安周波数及び商用周波数の両方に用いることができる。
【０２１９】
提案３：上位層がＵＩＣＣに事前設定された周波数を提供する場合、ＵＥは、ＰｒｏＳｅ通信を行う又は興味がある間はその周波数を最高優先度とみなすべきである。
【０２２０】
セル再選択時の優先度の取り扱いに加えて、ＵＥは、コネクティッドモードにある間、ＰＬＭＮ選択を開始するためのメカニズムが必要である。サービングセルがＵＥを別のＰＬＭＮに属する他のセルへ直接的にハンドオーバすることが可能でないかもしれないので、別のＰＬＭＮへの再選択が可能となるように、サービングセルがＵＥをリリースすることが必要になり得る。この条件は、下記のシナリオ（Ｂ）及びシナリオ（Ｃ）の下に示され、図１５のように再現される。ＰＬＭＮ選択を開始するために、ＵＥがサービングセルからリリースされる３つの選択肢を想定することができる。
【０２２１】
ＡＬＴ１：ＡＳは、ＴＳ３６.３０４のセクション５.１で、ＰｒｏＳｅキャリアに対応するＰＬＭＮのみを自律的にＮＡＳに報告する。
【０２２２】
ＡＬＴ２：ＡＳは、ＴＳ３６.３０４のセクション５.１.２.２で、ＰＬＭＮサーチの最適化のために、そのメモリにＰｒｏＳｅキャリアに対応する情報を格納し、ＮＡＳからのＰＬＭＮサーチの要求を待つ。
【０２２３】
ＡＬＴ３：ＴＳ３６.３３１のセクション５.３.８で、ＲＲＣＣｏｎｎｅｃｔｉｏｎＲｅｌｅａｓｅ中のｒｅｌｅａｓｅＣａｕｓｅに、新たに定義された「ｐＳ−ＰｒｏＳｅ」が設定され、それはＰＬＭＮ選択をトリガする意図を有し得るリリース原因としてＮＡＳに通知される。
【０２２４】
ＡＬＴ１は、素直で信頼性の高い方法であるが、それはＮＡＳへの成熟したインターフェイスを変更する必要があり得る。ＡＬＴ２は、現在のメカニズムに基づいて構築されており、ＲＡＮ仕様内で完結することができるが、若干回りくどい表現である。ＡＬＴ３は、既存のＣＳフォールバックメカニズムと同様な概念に基づいているが、ＮＡＳの仕様化インパクトが予想され、かつ、商業カバレッジ外、すなわち、図１５のケース（Ａ）及び（Ｄ）に適用することができない。Ｒｅｌ−１２の時間枠でのＷＩ完了を考慮し、上位層はＵＥが現在ＰｒｏＳｅ通信に興味があるかどうかを知っていると仮定すると、ＡＬＴ２で進めるべきであると思われる。
【０２２５】
提案４：ＮＡＳは、ＲＲＣ接続リリースの理由によってＰｒｏＳｅキャリアへ移す適切なアクションを開始するべきである。
【０２２６】
３.３．ディスカバリーと通信との間の優先度付け
提案１及び２が許容される場合、ＵＥがＰｒｏＳｅディスカバリー及びＰｒｏＳｅ通信の両方に興味がある場合は、キャリア優先度付けの競合が発生する可能性がある。
【０２２７】
さらにＰｒｏＳｅディスカバリーが公安のためにも使用することがすることができるシナリオを想定した場合、ＰｒｏＳｅディスカバリー及びＰｒｏＳｅ通信のどちらを優先するべきであるかは不明である。具体的には、ＡＳ層単独では、どちらの使用を優先すべきか、すなわち公安用ディスカバリー及び公共通信のどちらが優先されるべきかを決定することはできないであろう。ＵＥがキャンプするキャリアがアナウンス／送信及びモニタリング／受信の両方を許容する一方、非サービングキャリアはモニタリング／受信のみに限定される。そのため、上位層は、もしあれば、ＰｒｏＳｅサービス間の優先度付け、すなわち公安用ディスカバリー及び公安通信間の優先度付けのために必要な情報を提供するべきである。
【０２２８】
提案５：ＵＥが公安用ディスカバリー及び公安通信の両方に興味がある場合、この２つのサービス間の優先度付けは上位層によって決定されるべきである。
【０２２９】
３.４．ＰｒｏＳｅサービスと他の機能との間の優先度付け
提案が許容される場合、ＰｒｏＳｅサービスと既存の機能、すなわち、ＣＳＧ及びＭＢＭＳとの間の優先度付けが必要かどうかを考慮しなければならない。許容される場合は、公安が常に優先されるべきである。
【０２３０】
同じ理由で、ＵＥが公安用ディスカバリーに興味を持っているときに、ＣＳＧ又はＭＢＭＳのキャリアよりも公安用ディスカバリーのキャリアを優先する自然なことである。これは、どのキャリアが公安用ディスカバリーをサポートするかをサービングセルによって通知されるべきである。
【０２３１】
提案６：ＵＥが公安用ディスカバリーに興味を持つ間は公安用ディスカバリーのキャリアをＣＳＧ又はＭＢＭＳのキャリアよりも優先すべきであり、サービングセルによってＵＥに特定のキャリアが通知され得る。
【０２３２】
残りの問題は、商用ディスカバリーと、ＣＳＧ及びＭＢＭＳとの間の優先度付けである。現在の仕様では、ＵＥは、ＭＢＭＳセッション中にＭＢＭＳを提供する周波数を考慮することができる一方で、適切なＣＳＧセルにキャンプしている周波数を優先しなければならない。少なくともＲｅｌ−１２において、ＭＢＭＳのための既存の再選択ルールは、商業ディスカバリーのために再利用することができる。
【０２３３】
提案７：ＰｒｏＳｅディスカバリーの周波数が再選択の最高の優先度を持つべきかどうかはＵＥの実装に任される。
【０２３４】
［付記２］
１．はじめに
ＰｒｏＳｅインディケーションを伴うマルチキャリア動作におけるＰｒｏＳｅディスカバリーのサポートが合意された。
【０２３５】
合意事項
１  モニタリングＵＥのためのインター周波数及びインターＰＬＭＮディスカバリーのサポートが意図される。  [...]
【０２３６】
３  （ＮＷによって認可されている場合、）ＵＥは、自身のサービングセル上でのみＰｒｏＳｅディスカバリー信号を送信する。
【０２３７】
４  イントラ及びインター周波数（及びインターＰＬＭＮ）ＰｒｏＳｅ受信はＵｕ受信に影響を与えない（例えば、ＵＥは、ＰｒｏＳｅディスカバリー受信を行うために、アイドル及びコネクティッドにおけるＤＲＸ機会を使用するか、又は使用可能な場合には第２のＲＸチェーンを使用する）。ＵＥは、自律的なギャップを生成してはならない。ＵＥがインター周波数セルのＳＩＢからＰｒｏＳｅディスカバリー（２ａ）設定を取得するべきである場合、これはサービングセルのＵＥのＵｕ受信に影響を与えない。  [...]
【０２３８】
５  イントラ又はインター周波数ＰｒｏＳｅディスカバリー受信に興味を持つ（又は最早興味の無い）ＲＲＣ  ＣＯＮＮＥＣＴＥＤのＵＥは、“ProSe indication”を送信することにより、そのことをｅＮＢに示す（更なる制約については検討すべき）。
【０２３９】
ＰｒｏＳｅ通信に関しては、マルチキャリア動作も議論され、プロシージャの概要が合意された。
【０２４０】
合意事項（ＰｒｏＳｅ通信）  [...]
２  コネクティッドＵＥは、ＰｒｏＳｅ通信を行うことを望む場合、サービングセルにＰｒｏＳｅインディケーション（ProSe indication）を送信する。インディケーションには、意図されるＰｒｏＳｅ周波数が含まれている。
【０２４１】
３  サービングセルは、ＰｒｏＳｅのキャリアのインター周波数ＲＲＭ測定を設定し、ＵＥがＰｒｏＳｅキャリアのセルのカバレッジに入ると、測定報告に基づいて、そのＰｒｏＳｅキャリアにインター周波数モビリティをトリガすることができる。
【０２４２】
４  アイドルＵＥは、ＰｒｏＳｅキャリアで適切なセルを検出すると、そのＰｒｏＳｅキャリアを再選択することができる。  [...]
【０２４３】
６  Ｒｅｌ−１２については、ＵＥに事前設定により知られている単一のキャリア上ですべての（ＵＥのための）ＰｒｏＳｅ通信が行われることを想定する。
【０２４４】
また、ＳＩＢ１８（現在は新ＳＩＢ１９）及びＰｒｏＳｅインディケーションの取り扱いについて更なる合意がされた。
【０２４５】
１  ｅＮＢは、ＵＥがＰｒｏＳｅインディケーションの送信が許容されるかどうかをＳＩＢ１８が存在するか否かで知らせる。
【０２４６】
１ａ  ＳＩＢ１８は、そのＳＩＢ１８が送信されるキャリアの詳細なＰｒｏＳｅディスカバリー設定を提供する（イントラ周波数、インター及びイントラセル）。
【０２４７】
１ｂ  ＳＩＢ１８は、ＰｒｏＳｅディスカバリーアナウンスが提供される追加的な周波数（インターＰＬＭＮ周波数のためのＥＡＲＦＣＮ及びＰＬＭＮ  ＩＤ）のリストを提供する。
【０２４８】
１ｃ  上記の両方はＳＩＢ１８におけるオプションである。
【０２４９】
合意事項を考慮し、本付記は、マルチキャリアＰｒｏＳｅ動作の取り扱いについて検討する。
【０２５０】
２．検討
２.１．ＰｒｏＳｅディスカバリーキャリアのリストを受信したＵＥの挙動
合意されたように、ｅＮＢは、ＵＥがＰｒｏＳｅディスカバリー信号を受信する意図を有し得るキャリアのリストをＳＩＢ中で提供することができる。この合意事項は、リストがＵＥに対する制限若しくは補助又はそれらの両方であることを暗示する。リストはモニタリングＵＥが不必要な電力消費を削減するための補助情報として考慮されるべきであることが好ましい。つまり、ＵＥは、リスト中で提供されるキャリア上で送信されるＰｒｏＳｅディスカバリー信号をモニタしてもよいし、しなくてもよい。図１６に示すように、ＰＬＭＮ２の隣接セルからＳＩＢ１９で提供されるいくつかのＰｒｏＳｅキャリアがＰＬＭＮ１のサービングセルのＳＩＢ１９に記載されていない場合、ＵＥは、サービングセルのＳＩＢ１９に記載されていないこれらのＰｒｏＳｅキャリアで送信されたディスカバリー信号をモニタリングすることが許容される。以上の認識によれば、ＵＥは、サービングセルのＳＩＢ１９に記載されたＰＬＭＮのどの周波数にかかわらず、さらに他のＰＬＭＮ（すなわち、図１６に示されていないＰＬＭＮ３）でディスカバリーをモニタリングすることを決定し得る。ＵＥが上位層からディスカバリーを行う許可を得ていれば、Ｕｕ受信に影響がない。
【０２５１】
提案１：ＵＥは、サービングセルのＳＩＢ１９に記載されているＰｒｏＳｅキャリアに基づいてディスカバリーをモニタリングすることが要求されない。ＵＥは、サービングセルのＳＩＢ１９に記載されていない他のＰｒｏＳｅディスカバリーキャリアをモニタリングすることに制約があってはならない。
【０２５２】
２.２．ＳＩＢ１８／１９の存在とＰｒｏＳｅインディケーションとの相互作用
これは、ｅＮＢは、ＳＩＢ１８の存在と共にＵＥのＰｒｏＳｅインディケーションの送信が許可されるかを示すこと、及び、通信及びディスカバリーのために個別のＳＩＢを導入することが合意されている。ＳＩＢ１８だけではなくＳＩＢ１９の存在が、ＵＥが通信のためのＰｒｏＳｅインディケーションの送信が許可されていることのインディケーションであるか否かを明確化すべきである。ＳＩＢ１９のみがサービングセルによって提供される場合にも同様の明確化が必要とされる。
【０２５３】
考察１：サービングセルがＳＩＢ１８のみの存在を示す場合、ＵＥは、通信のためのＰｒｏＳｅインディケーションを送信することが許可される。サービングセルがＳＩＢ１９のみの存在を示す場合、ＵＥは、ディスカバリーのためのＰｒｏＳｅインディケーションを送信することが許可される。
【０２５４】
これまでのところ、限られた数のキャリアのみがＰｒｏＳｅディスカバリーをサポートすることを前提としていた。しかしながら、これは他のキャリアがＰｒｏＳｅを認識しないことを意味しない。それは特定のキャリアにおいてディスカバリーリソースが提供されないだけである。ディスカバリーリソースを提供していない他のキャリアは、ディスカバリーのためのＰｒｏＳｅインディケーションを完全に扱うことが可能であってもよい。
【０２５５】
考察２：ディスカバリーリソースを提供していないサービングセルは、ＰｒｏＳｅインディケーションを処理する能力を有していてもよい。
【０２５６】
ディスカバリーをサポートしていないキャリアに接続されたＵＥについては、主にＵＥがディスカバリーアナウンスに興味を持つ場合に、ディスカバリーリソースを提供するキャリアにサービングセルがＵＥをハンドオーバするために、サービングセルにＰｒｏＳｅインディケーションを送信することが許可されるべきである。サービングセルがディスカバリーをサポートするキャリアを知らない場合には、ＰｒｏＳｅインディケーションで示された興味のある周波数に応じてターゲットキャリアを決定することができる。サービングセルは、ディスカバリーのためのＰｒｏＳｅインディケーションをサポートすることが可能である場合には、ＳＩＢ１９をブロードキャストするべきである。これは、通信のためのＰｒｏＳｅインディケーションと異なるべきではない。
【０２５７】
考察３：サービングセルによるＳＩＢ１８／１９のブロードキャストは、サービングセルがＰｒｏＳｅサービスをサポートするか及びＰｒｏＳｅサービスをサポートするキャリアの知識とは独立しているべきである。
【０２５８】
表１は、上記の議論をまとめたものである。考察３の状態をサポートするために、ＳＩＢ１９は、２つのＩＥの値がｎｕｌｌであってもブロードキャストされるべきである。これに対応し、表２は、ＳＩＢ１８の概要を示している。commRxPool-r12におけるダミーの設定を回避するために、ＳＩＢ１８はｎｕｌｌと共にcommConfig-r12を持つべきである。
【０２５９】
提案２：サービングセルは、ｎｕｌｌ  ＩＥを含むＳＩＢ１８又はＳＩＢ１９を提供し得る。
【０２６０】
【表１】
2018093509.tif 000003
【０２６１】
注：「１ａ」は、詳細なＰｒｏＳｅディスカバリー設定を表す。「１ｂ」は、追加の周波数（ＥＡＲＦＣＮとＰＬＭＮ  ＩＤ）のリストを表す。
【０２６２】
１ａ  ＳＩＢ１８は、そのＳＩＢ１８が送信されるキャリアの詳細なＰｒｏＳｅディスカバリー設定を提供する（イントラ周波数、インター及びイントラセル）。
【０２６３】
１ｂ  ＳＩＢ１８は、ＰｒｏＳｅディスカバリーアナウンスが提供される追加的な周波数（インターＰＬＭＮ周波数のためのＥＡＲＦＣＮ及びＰＬＭＮ  ＩＤ）のリストを提供する。
【０２６４】
１ｃ  上記の両方はＳＩＢ１８におけるオプションである。
【０２６５】
【表２】
2018093509.tif 000004
【０２６６】
“Config”はcommConfig-r12を表し、“RxPool”はcommRxPool-r12を表し、“General” はcommGeneralConfig-r12を表し、“TxPool”はcommTxPoolNormalCommon-r12及びcommTxPoolExceptional-r12を表す。
【０２６７】
２.３．ＰｒｏＳｅを認識しない（non-ProSe-aware）ｅＮＢによるデッドロック状態
承認されたＬＳは、Ｓ１−ＡＰ及びＸ２−ＡＰにProSe Authorized IEを導入する。ＰｒｏＳｅサポート及びＰｒｏＳｅ非サポートｅＮＢが同じエリアに配備されることに加えて、ＰｒｏＳｅ認識及びＰｒｏＳｅ非認識ｅＮＢの混在した配備が想定されている。ＰｒｏＳｅ認識ｅＮＢ及びＰｒｏＳｅサポートｅＮＢは同じものを指し、ＰｒｏＳｅ非認識ｅＮＢ及びＰｒｏＳｅ非サポートｅＮＢは同じものを指すと想定される。ＰｒｏＳｅ非認識ｅＮＢは、ＰｒｏＳｅインディケーションを復号できないレガシーｅＮＢ又はＰｒｏＳｅインディケーションをサポートしないＲｅｌ−１２ｅＮＢとして解釈され得る。ＰｒｏＳｅ可能ＵＥが２つのｅＮＢの間のハンドオーバ領域にあり、一方はレガシーｅＮＢであり、他方はＰｒｏＳｅ認識ｅＮＢであると仮定すると、ＵＥはＰｒｏＳｅディスカバリー又は通信に興味を持つ前にレガシーｅＮＢ又はＰｒｏＳｅ非認識ｅＮＢに接続し得る。図１７に示すこの状態で、ＵＥが上位レイヤ、すなわち、ＰｒｏＳｅ機能によりＰｒｏＳｅサービスを行うことが許可されていても、ＵＥが興味のあるＰｒｏＳｅサービスを行う方法はない。よって、そのようなデッドロック状態がマルチキャリアＰｒｏＳｅ動作のために解決されるべきであるか否かを検討すべきである。
【０２６８】
提案３：デッドロック状態が解決されるべきであるか検討するべきである。
【０２６９】
提案３が合意される場合、ＵＥは、次のいずれかの選択肢を使用して、サービングセルから切断されることを可能にするメカニズムが必要である。
【０２７０】
ＡＬＴ１：ＵＥは、ＲＲＣ接続の解放をサービングセルに通知する手段を有する。
【０２７１】
ＡＬＴ２：ＵＥは、上位層にＲＲＣ接続解放を要求する手段を有する。
【０２７２】
ＡＬＴ１は賢明な方法であるが、レガシーｅＮＢがネットワークで利用可能であると想定するとレガシー仕様を変更する必要がありえる。ＡＬＴ２は、上位層始動で接続解放をトリガするので、上位層の仕様へのインパクトを有し得る。Ｒｅｌ−１２完了の観点から、ＡＬＴ１はＲＡＮ２内のインパクトで完結するので、最小の仕様化インパクトを有すると思われる。
【０２７３】
提案４：デッドロック状態を解決するべきである場合、２つの選択肢のうち１つを採用するべきであるかを検討すべきである。
【０２７４】
［付記３］
１．はじめに
ＰｒｏＳｅ  ＵＥ情報について、ＳＩＢ１８、ＳＩＢ１９に対応するインター周波数、インターＰＬＭＮの動作が決定された。
【０２７５】
合意事項(7.4.2.1 Stage-2 and Stage-3 CP, Inter-Frequency Support and ProSe Interest Indication)
２  コネクティッドＵＥは、ＰｒｏＳｅ通信を行いたい場合にＰｒｏＳｅインディケーションをサービングセルに送信する。インディケーションは、意図するＰｒｏＳｅ周波数を含む。
【０２７６】
合意事項(7.4.3 ProSe Device discovery )［．．．］
２  ｅＮＢはＵＥがＰｒｏＳｅディスカバリー信号の受信を意図し得る（イントラＰＬＭＮインター周波数及び／又はインターＰＬＭＮインター周波数）キャリアのリスト（対応するＰＬＭＮ  ＩＤが付随し得る）をＳＩＢ中で提供する。セルは、他のキャリアのための詳細なＰｒｏＳｅ設定（ＳＩＢ１８）を提供しない。ＵＥは、他のキャリア上でＰｒｏＳｅディスカバリー信号を受信しようとする場合、そこからＳＩＢ１８（及び他の関連ＳＩＢ）を読み取る必要がある。［．．．］
【０２７７】
４  イントラ及びインター周波数（及びインターＰＬＭＮ）ＰｒｏＳｅ受信はＵｕ受信に影響を与えない（例えば、ＵＥは、ＰｒｏＳｅディスカバリー受信を行うために、ＩＤＬＥ及びＣＯＮＮＥＣＴＥＤにおけるＤＲＸ機会を使用するか、又は使用可能な場合には第２のＲＸチェーンを使用する）。ＵＥは、自律的なギャップを生成してはならない。ＵＥがインター周波数セルのＳＩＢからＰｒｏＳｅディスカバリー（２ａ）設定を取得する必要がある場合、これはサービングセルのＵＥのＵｕ受信に影響を与えない。
【０２７８】
５  イントラ又はインター周波数ＰｒｏＳｅディスカバリー受信に興味を持つ（又は最早興味の無い）ＲＲＣ  ＣＯＮＮＥＣＴＥＤのＵＥは、“ProSe indication”を送信することにより、そのことをｅＮＢに示す（更なる制約については検討すべき）。
【０２７９】
合意事項(7.3.1 General)［．．．］
２  ｂ）  ＰｒｏＳｅ通信の送信／受信に興味のあるコネクティッドＵＥは、サービングセルに興味を通知する。ＰｒｏＳｅ通信の送信／受信にもはや興味のないときにもそれを通知すべきである。［．．．］
【０２８０】
Ｄ．２  ディスカバリーモニタリングについて、ＲＲＣコネクティッドのＵＥは、受信インディケーションでイントラ及びインターＰＬＭＮの周波数を示す。
【０２８１】
Ｄ．３  ディスカバリーについて、アイドルモードＵＥが許可されたＰＬＭＮのキャリアでＰｒｏＳｅを行うことをＲＲＣのステートメントに含めない。［．．．］
【０２８２】
合意事項(7.3.2.1.1 Inter-Frequency Support)
Ｒ２−１４４４９３
１  ＰｒｏＳｅ通信とデュアル接続との組み合わせは、Ｒｅｌ−１２でサポートされない。
【０２８３】
２  １つのキャリアのセルは、他の周波数のＰｒｏＳｅ通信設定を設定しない、すなわち、ＰｒｏＳｅ設定はＰＣｅｌｌについてのみ提供される。
【０２８４】
ケースａ  サービングセルはＵＥがカバレッジを有しない周波数のためのＰｒｏＳｅ設定を提供できない（そこでは事前設定を使用する）。
【０２８５】
ケースｂ  サービングセルはＵＥがカバレッジを有しない他の周波数のためのＰｒｏＳｅ設定を提供できない（設定されたＳＣｅｌｌがあってもなくても）。ＵＥに他の周波数のＳＣｅｌｌが設定されない場合、ＵＥは、他のセルがプールを提供すればそのＳＩＢ１８で提供されるモード２設定を使用し、それによってＰｒｏＳｅを行う。
【０２８６】
３  ＰｒｏＳｅディスカバリーについて、ＵＥは、ＳＣｅｌｌが設定されているか否かを問わず、他の周波数のＰｒｏＳｅディスカバリー信号を受信し得る。ＰＣｅｌｌが自身のみのための情報を提供する。ＵＥは、各隣接／ＳＣｅｌｌキャリアからのＳＩＢ１８を読み込まなければならない。
【０２８７】
Ｒ２−１４４１５２
１  ｅＮＢは、ＵＥがＰｒｏＳｅインディケーションの送信が許可されるかをＳＩＢ１８の存在と共に示す。
【０２８８】
合意事項(7.3.3.2 Other)
１  ｅＮＢは、ＵＥがＰｒｏＳｅインディケーションのスインが許容されるかどうかをＳＩＢ１８で知らせる。
【０２８９】
１ａ  ＳＩＢ１８は、そのＳＩＢ１８が送信されるキャリアの詳細なＰｒｏＳｅディスカバリー設定を提供する（イントラ周波数、インター及びイントラセル）。
【０２９０】
１ｂ  ＳＩＢ１８は、ＰｒｏＳｅディスカバリーアナウンスが提供される追加的な周波数（インターＰＬＭＮ周波数のためのＥＡＲＦＣＮ及びＰＬＭＮ  ＩＤ）のリストを提供する。
【０２９１】
１ｃ  上記の両方はＳＩＢ１８におけるオプションである。
【０２９２】
２  他のインターＰＬＭＮのＰｒｏＳｅキャリアのリストが上位層から提供されるか否かのＦＦＳを削除する。
【０２９３】
しかしながら、ＵＥがＰｒｏＳｅ  ＵＥ情報に何を含めるかの限定があるか不明確である。本付記では、特に、興味のあるＰｒｏＳｅ周波数のインディケーション及びマルチキャリア動作に関する争点をさらに明確化する。
【０２９４】
２．検討
２．１．興味のあるＰｒｏＳｅディスカバリー周波数
前述したように、サービングセルがＳＩＢ１９にＰｒｏＳｅ  ＵＥがＰｒｏＳｅ直接ディスカバリーを行うことが可能な周波数のリストを提供することが合意されている。一方、ＰｒｏＳｅ  ＵＥが興味のある周波数のセットを示すことができることが合意されている。しかしながら、示された興味のある周波数のセットは、ＳＩＢ１９中で提供されるディスカバリー周波数に限定されるべきか否かは更なる検討が必要である。
【０２９５】
上記合意によると、ＰｒｏＳｅ  ＵＥは、受信を意図し得る周波数を知ることができる。合意事項４に基づいて、第２のＲｘチェーンを用いてＰｒｏＳｅディスカバリー受信を行うことができると合意されている。第２のＲｘチェーンによれば、ＵＥは、上位層によって許可されている限り、ＰｒｏＳｅディスカバリーを受信すると選択した周波数にＡＳにより限定されない。よって、この観点から、サービングセルのＳＩＢ１９で周波数が提供されているかどうかにかかわらず、許可された周波数上でＰｒｏＳｅディスカバリーを受信することに限定されないことはすでに明らかである。
【０２９６】
考察１：ＰｒｏＳｅ  ＵＥは、サービングセルのＳＩＢ１９で提供されている周波数であるか否かにかかわらず、許可された周波数でＰｒｏＳｅディスカバリーを受信することに限定されない。
【０２９７】
さらに、インターＰＬＭＮのシナリオを考慮すると、ＵＥがサービングオペレータのローミングパートナーの一つではない他のＵＥからのディスカバリーをモニタリングすることが必要となるシナリオを想像するのは難しいことではない（例えば、車車間ディスカバリー）。サービングセルは、非ローミングパートナーの周波数を提供することが期待されるべきではないが、サービングセルは、他のＰＬＭＮに属する周波数のためのディスカバリーのアクセスを拒否することも期待されない。考察１の理解を考慮すると、ＳＩＢ１９で提供される周波数のリストは、ＵＥの参考として扱われるべきである。
【０２９８】
提案１：ＳＩＢ１９で提供される周波数のリストは、ＵＥの参考として扱われるべきである。
【０２９９】
ＰｒｏＳｅ  ＵＥ情報の周波数のセットについて、このセットを送信する目的は、ＰｒｏＳｅ  ＵＥがモニタリングするために興味ある周波数をサービングセルに通知することである。ＰｒｏＳｅ  ＵＥは、サービングセルの周波数にのみ興味がある場合、ＳＩＢ１９に記載されていないサービングセルの周波数を示すことが許可されるべきである。ＰｒｏＳｅ  ＵＥが他のＰＬＭＮに属する周波数に興味がある場合は、上記のインターＰＬＭＮのシナリオでは、ＰｒｏＳｅ  ＵＥは、ＰｒｏＳｅ  ＵＥ情報で、このような周波数を示すために許可するべきである。よって、ＰｒｏＳｅ  ＵＥ情報に含まれる周波数は、ＳＩＢ１９に記載されているディスカバリーの周波数に限定されるべきではない。
【０３００】
提案２：ＰｒｏＳｅ  ＵＥ情報の周波数のセットは、ＳＩＢ１９に記載されているディスカバリーの周波数に限定されるべきではない。
【０３０１】
上記提案が合意可能であれば、他の可能性は、ＵＥが、ＰｒｏＳｅ  ＵＥ情報内に、ＳＩＢ１９で提供されない周波数及びＳＩＢ１９で提供された周波数を同時に含めることである。ＰｒｏＳｅ  ＵＥ情報に関連する合意事項に基づいて、サービングセルがＰｒｏＳｅ  ＵＥ情報で示される周波数を使用する方法が不明確であるが。しかしながら、示された周波数がＵＥのモビリティやスケジューリングなどを管理するために用いられることを考慮すると、ＳＩＢ１９で提供された周波数に優先度が与えられるべきである。よって、サービングセルが、ＳＩＢ１９で提供されない周波数及びＳＩＢ１９で提供された周波数をＰｒｏＳｅ  ＵＥから同時に受信する場合、サービングセルはＳＩＢ１９で提供されない周波数を無視すべきである。
【０３０２】
提案３：サービングセルは、同一ＰｒｏＳｅ  ＵＥ情報内で、ＳＩＢ１９で提供された周波数が示される場合、ＳＩＢ１９で提供されない周波数を無視すべきである。
【０３０３】
２.２．マルチキャリア動作のためのインディケーション
ＰｒｏＳｅ直接通信について、非サービング周波数上での送信をサポートするかどうかは更なる検討が必要である。同時のＷＡＮ送信及びＰｒｏＳｅ通信送信をサポートすることが合意されている。さらに、合意事項２のケースＢに基づいて、ＰｒｏＳｅ  ＵＥが、非サービング周波数からのセルでＰｒｏＳｅ通信を行うためにモード２のリソースを使用してもよいことが既に明らかである。しかしながら、そのセルがＳＣｅｌｌとしてＰＣｅｌｌにより設定されていた場合、ＵＥは、このセルのＰｒｏＳｅ通信を停止するべきである。これは、公安のサポートのために望ましくないことがある。ＰｒｏＳｅ  ＵＥは、非サービング周波数でＰｒｏＳｅ通信を行うことが許可されている場合、この非サービング周波数でＰｒｏＳｅ通信を使用しているか否かをサービングセルに通知すべきであり、これによりサービングセルは、この周波数に属するセルをＳＣｅｌｌとして設定することを避けることができる。
【０３０４】
提案４：ＰｒｏＳｅ  ＵＥは、非サービング周波数でＰｒｏＳｅ通信を行うことが許可されている場合、この非サービング周波数をＳＣｅｌｌとして設定することを避けるように、この非サービング周波数でＤ２Ｄ通信を使用しているか否かをサービングセルに通知するべきである。
【０３０５】
［相互参照］
米国仮出願第６２／０７６７３４号（２０１４年１１月７日出願）の全内容が、参照により本願明細書に組み込まれている。
【産業上の利用可能性】
【０３０６】
本発明は、通信分野において有用である。
【図１】
2018093509.tif 000005
【図２】
2018093509.tif 000006
【図３】
2018093509.tif 000007
【図４】
2018093509.tif 000008
【図５】
2018093509.tif 000009
【図６】
2018093509.tif 000010
【図７】
2018093509.tif 000011
【図８】
2018093509.tif 000012
【図９】
2018093509.tif 000013
【図１０】
2018093509.tif 000014
【図１１】
2018093509.tif 000015
【図１２】
2018093509.tif 000016
【図１３】
2018093509.tif 000017
【図１４】
2018093509.tif 000018
【図１５】
2018093509.tif 000019
【図１６】
2018093509.tif 000020
【図１７】
2018093509.tif 000021